(57)【要約】【課題】  別の送り機構により点字打刻されるテープを、テープカットにより用意するに際して、カット長調整により送り誤差による点字打刻損じを防止しつつ、テープの無駄を必要最小限にできるテープ処理方法、テープ処理装置、プログラムおよび記憶媒体を提供する。【解決手段】  第１送り機構に導入されてカット長分だけテープ送りしてテープカットし、カットされたテープを第２送り機構に導入してテープ送りしながら、カット長内に収まるように点字を打刻する。第２送り機構によるテープ送り方向の下流側余白長、上流側の上流側余白長、点字の実打刻長に基づいて、仮カット長を決定し、双方の送り機構による送り誤差の誤差比に基づいて、正の誤差長を求め、上流側余白長が、誤差長未満のときには、誤差長と上流側余白長との差分を仮カット長に加算し、誤差長以上のときには、そのままカット長とする。【選択図】  図１７
2006069759.tif 000002
【特許請求の範囲】
【請求項１】
第１送り機構に導入されてカット長分だけテープ送りされたテープを前記カット長でカットし、カットされた前記テープを第２送り機構に導入してテープ送りしながら、前記カット長内に収まるように点字を打刻するテープ処理方法であって、
前記点字に対して前記第２送り機構によるテープ送り方向の下流側に付される下流側余白長、上流側に付される上流側余白長および前記点字の実打刻長に基づいて、前記テープの仮カット長を決定する仮カット長決定工程と、
前記第1送り機構に対する前記第２送り機構による送り誤差の誤差比に基づいて、前記仮カット長を補正することにより、前記カット長を決定するカット長調整工程と、
を備え、
前記カット長調整工程は、
前記仮カット長に対して前記誤差比に対応する正の誤差長を求める誤差長決定工程と、
前記上流側余白長が、前記誤差長未満のときには、前記誤差長と前記上流側余白長との差分を前記仮カット長に加算して前記カット長を決定し、前記誤差長以上のときには、前記仮カット長を前記カット長として決定するカット長決定工程と、
を有することを特徴とするテープ処理方法。
【請求項２】
前記テープに印刷する墨字の実印刷長を決定する実印刷長決定工程と、
前記仮カット長の範囲に、前記実印刷長を割り付ける印刷部割付工程と、
前記実印刷長の割付けに基づいて、前記第１送り機構によるテープ送りの間に、前記テープに前記墨字を印刷する墨字印刷工程と、
をさらに備え、
前記仮カット長決定工程では、前記実印刷長および前記実打刻長の双方が割付可能なように、前記仮カット長を決定することを特徴とする、請求項１に記載のテープ処理方法。
【請求項３】
前記打刻部割付工程は、前記実印刷長が前記実打刻長より長いときに、前記実印刷長の範囲に前記実印刷長を割り付ける方法として、前端を揃える前寄せ、中央を揃える中寄せ、後端を揃える後寄せおよび均等配置する均等割付の少なくとも２以上のうちのいずれかを選択する打刻割付選択工程を有することを特徴とする、請求項２に記載のテープ処理方法。
【請求項４】
前記印刷部割付工程は、前記仮カット長の範囲の領域に、前記墨字と前記点字とを並べて配置する墨字点字並記と、少なくとも一部を重ねて配置する墨字点字重記と、のいずれかを選択する墨点配置選択工程を有することを特徴とする、請求項２または３に記載のテープ処理方法。
【請求項５】
前記テープは、一面に粘着層を有する基材シートおよび前記粘着層を覆う剥離シートから成り、
前記第１送り機構によるテープ送りの間に、前記基材シートのみをカットするハーフカットによって、前記第２送り機構によるテープ送りの前記点字の下流側または上流側に、捨て代となるハーフカット代を設けるハーフカット工程と、
を有し、
前記カット長は、前記ハーフカット代の長さを含めて決定されることを特徴とする、請求項１ないし４のいずれかに記載のテープ処理方法。
【請求項６】
第１送り機構に導入されてカット長分だけテープ送りされたテープを前記カット長でカットし、カットされた前記テープを第２送り機構に導入してテープ送りしながら、前記カット長内に収まるように点字を打刻するテープ処理装置であって、
前記点字に対して前記第２送り機構によるテープ送り方向の下流側に付される下流側余白長、上流側に付される上流側余白長および前記点字の実打刻長に基づいて、前記テープの仮カット長を決定する仮カット長決定手段と、
前記第1送り機構に対する前記第２送り機構による送り誤差の誤差比に基づいて、前記仮カット長を補正することにより、前記カット長を決定するカット長調整手段と、
を備え、
前記カット長調整手段は、
前記仮カット長に対して前記誤差比に対応する正の誤差長を求める誤差長決定手段と、
前記上流側余白長が、前記誤差長未満のときには、前記誤差長と前記上流側余白長との差分を前記仮カット長に加算して前記カット長を決定し、前記誤差長以上のときには、前記仮カット長を前記カット長として決定するカット長決定手段と、
を有することを特徴とするテープ処理装置。
【請求項７】
請求項１ないし５のいずれかに記載のテープ処理方法を実行可能なことを特徴とするプログラム。
【請求項８】
請求項７に記載のプログラムを、プログラム処理可能な装置によって読出可能に記憶することを特徴とする記憶媒体。
【発明の詳細な説明】
【技術分野】
【０００１】
本発明は、テープに対して点字打刻等のテープ処理を行うテープ処理方法、テープ処理装置、プログラムおよび記憶媒体に関する。
【背景技術】
【０００２】
従来、視覚障害者が認識可能な点字と、視覚障害を有しない晴眼者が視認可能な墨字（点字に対し、通常の印刷文字を指す）とを、同一の処理シート（テープ）に対して並べて（または重ねて）配置して、視覚障害者と晴眼者の両者が認識可能な処理シート（点字ラベル）が知られている（例えば、特許文献１参照）。また、墨字印刷と点字打刻とを並行に実行してそれらが並ぶ処理シートを作成できる文字情報処理装置も知られている（例えば、特許文献２参照）。
【特許文献１】特開平１０−２７５２０６号公報
【特許文献２】特開２００１−８８３５８号公報
【発明の開示】
【発明が解決しようとする課題】
【０００３】
ところで、上述の装置のように１つの送り機構によってテープを送りながら墨字印刷と点字打刻とを並行して行う方式（同時並行方式）では、打刻振動により、印刷ヘッドがバウンドして印刷不良を生じるため、第１送り機構によってテープを送りながら墨字印刷して（あるいはカット長分だけ空送りして）、所望のカット長となるようにテープカットし、第１送り機構とは異なる第２送り機構によって、カットされたテープを送りながら、テープに点字を打刻する方法（順次個別方式）も考えられる。
【０００４】
しかしながら、順次個別方式では、２つの送り機構を利用して印刷（または空印刷）のための送りと打刻のための送りとを個別に行うので、個々に先端検出等を行っても、送りローラのスリップやローラゴムのへたりによる縮径により、２つの送り機構間において、送り誤差が生じる。そして、その送り誤差により、用意されたテープが点字打刻に必要な長さより短かった場合、あるいは、打刻位置が意図した位置よりも後方にずれた場合には、点字の打刻損じが発生することがあり、かといって、長すぎるテープを用意したのでは、その後、所望の長さにカットする手間を要し、かつその分のテープが無駄になった。
【０００５】
本発明は、別の送り機構により点字打刻されるテープを、テープカットにより用意するに際して、カット長調整により送り誤差による点字打刻損じを防止しつつ、テープの無駄を必要最小限にできるテープ処理方法、テープ処理装置、プログラムおよび記憶媒体を提供することを目的とする。
【課題を解決するための手段】
【０００６】
本発明のテープ処理方法は、第１送り機構に導入されてカット長分だけテープ送りされたテープを前記カット長でカットし、カットされた前記テープを第２送り機構に導入してテープ送りしながら、前記カット長内に収まるように点字を打刻するテープ処理方法であって、前記点字に対して前記第２送り機構によるテープ送り方向の下流側に付される下流側余白長、上流側に付される上流側余白長および前記点字の実打刻長に基づいて、前記テープの仮カット長を決定する仮カット長決定工程と、前記第1送り機構に対する前記第２送り機構による送り誤差の誤差比に基づいて、前記仮カット長を補正することにより、前記カット長を決定するカット長調整工程と、を備え、前記カット長調整工程は、前記仮カット長に対して前記誤差比に対応する正の誤差長を求める誤差長決定工程と、前記上流側余白長が、前記誤差長未満のときには、前記誤差長と前記上流側余白長との差分を前記仮カット長に加算して前記カット長を決定し、前記誤差長以上のときには、前記仮カット長を前記カット長として決定するカット長決定工程と、を有することを特徴とする。
【０００７】
また、本発明のテープ処理装置は、第１送り機構に導入されてカット長分だけテープ送りされたテープを前記カット長でカットし、カットされた前記テープを第２送り機構に導入してテープ送りしながら、前記カット長内に収まるように点字を打刻するテープ処理装置であって、前記点字に対して前記第２送り機構によるテープ送り方向の下流側に付される下流側余白長、上流側に付される上流側余白長および前記点字の実打刻長に基づいて、前記テープの仮カット長を決定する仮カット長決定手段と、前記第1送り機構に対する前記第２送り機構による送り誤差の誤差比に基づいて、前記仮カット長を補正することにより、前記カット長を決定するカット長調整手段と、を備え、前記カット長調整手段は、前記仮カット長に対して前記誤差比に対応する正の誤差長を求める誤差長決定手段と、前記上流側余白長が、前記誤差長未満のときには、前記誤差長と前記上流側余白長との差分を前記仮カット長に加算して前記カット長を決定し、前記誤差長以上のときには、前記仮カット長を前記カット長として決定するカット長決定手段と、を有することを特徴とする。
【０００８】
このテープ処理方法およびテープ処理装置では、テープを第１送り機構を用いてテープカットにより用意し、第２送り機構を用いて点字打刻を行うので、送り誤差が生じる可能性がある。ここでは、テープの仮カット長を決定し、それを誤差比によって補正することにより、テープのカット長を決定する。この場合、仮カット長に対して誤差比に対応する正の誤差長を求め、点字に対して第２送り機構のテープ送り方向上流側に付される上流側余白長が、誤差長未満のときに、それらの差分を仮カット長に加算するので、結果として、上流側余白長が誤差長まで延長される。このため、点字打刻の打刻位置が送り誤差の範囲で後方にずれたとしても、上流側余白長の範囲内に収まるので、点字の打刻損じを防止できる。また、誤差長までの延長なので、テープの無駄を必要最小限にできる。なお、上流側余白長が誤差長以上であれば、その上流側余白長の範囲で点字打刻が終了するので、カット長調整を要しない。
【０００９】
また、上述のテープ処理方法において、前記テープに印刷する墨字の実印刷長を決定する実印刷長決定工程と、前記仮カット長の範囲に、前記実印刷長を割り付ける印刷部割付工程と、前記実印刷長の割付けに基づいて、前記第１送り機構によるテープ送りの間に、前記テープに前記墨字を印刷する墨字印刷工程と、をさらに備え、前記仮カット長決定工程では、前記実印刷長および前記実打刻長の双方が割付可能なように、前記仮カット長を決定することが好ましい。
【００１０】
このテープ処理方法では、テープカットにより点字打刻用のテープを用意するために、第１送り機構を用いてカット長分だけテープ送りする間に、墨字印刷を行うので、結果として、墨字印刷と点字打刻の双方から成るテープ処理を行うことになる。この場合、墨字の実印刷長と点字の実打刻長との双方が割付可能なように、仮カット長を決定するので、その後のカット長調整における上流側余白長は点字のみの場合の上流側余白長以上となって、長くなる方向となり、点字打刻に支障を生じること無く、墨字印刷ができる。
【００１１】
また、上述のテープ処理方法において、前記打刻部割付工程は、前記実印刷長が前記実打刻長より長いときに、前記実印刷長の範囲に前記実印刷長を割り付ける方法として、前端を揃える前寄せ、中央を揃える中寄せ、後端を揃える後寄せおよび均等配置する均等割付の少なくとも２以上のうちのいずれかを選択する打刻割付選択工程を有することが好ましい。
【００１２】
このテープ処理方法では、墨字の実印刷長が点字の実打刻長より長いときに、墨字に前端を揃える前寄せ、中央を揃える中寄せ、後端を揃える後寄せおよび均等配置する均等割付の少なくとも２以上のうちのいずれかを選択するので、その選択次第で所望且つ多様な割付のテープ処理ができる。
【００１３】
また、墨字印刷を伴う上述の各テープ処理方法において、前記印刷部割付工程は、前記仮カット長の範囲の領域に、前記墨字と前記点字とを並べて配置する墨字点字並記と、少なくとも一部を重ねて配置する墨字点字重記と、のいずれかを選択する墨点配置選択工程を有することが好ましい。
【００１４】
このテープ処理方法では、仮カット長の範囲の領域に、墨字と点字とを並べて配置する墨字点字並記と、少なくとも一部を重ねて配置する墨字点字重記と、のいずれかを選択するので、テープ処理として墨字点字並記と墨字点字重記とを使い分けることができる。
【００１５】
また、上述の各テープ処理方法において、前記誤差比は５％であることが好ましい。
【００１６】
このテープ処理方法では、５％の送り誤差の範囲で、カット長調整により送り誤差による点字打刻損じを防止しつつ、テープの無駄を必要最小限にできる。
【００１７】
また、上述の各テープ処理方法において、前記テープは、一面に粘着層を有する基材シートおよび前記粘着層を覆う剥離シートから成り、前記第１送り機構によるテープ送りの間に、前記基材シートのみをカットするハーフカットによって、前記第２送り機構によるテープ送りの前記点字の下流側または上流側に、捨て代となるハーフカット代を設けるハーフカット工程と、を有し、前記カット長は、前記ハーフカット代の長さを含めて決定されることが好ましい。
【００１８】
このテープ処理方法では、基材シートのみをカットするハーフカットによって、第２送り機構によるテープ送りの点字の下流側または上流側に、捨て代となるハーフカット代を設け、カット長は、ハーフカット代の長さを含めて決定されるので、同様に点字打刻損じを防止しつつ、点字打刻後には、点字打刻された部分を剥がす際にハーフカット代（捨て代）を把持できるので、剥がしやすくなる。
【００１９】
また、本発明のプログラムは、上述のいずれかのテープ処理方法を実行可能なこと、または、上述のいずれかのテープ処理装置を機能させることを特徴とする。また、本発明の記憶媒体は、上述のプログラムを、プログラム処理可能な装置によって読出可能に記憶することを特徴とする。
【００２０】
このプログラムでは、上述のいずれかのテープ処理方法を実行可能なので、または、いずれかのテープ処理装置を機能させることができるので、プログラム処理可能な装置によって処理されることにより、または、プログラム処理可能な装置によって記憶媒体に記憶されたプログラムを読み出して実行することにより、
別の送り機構により点字打刻されるテープを、テープカットにより用意するに際して、カット長調整により送り誤差による点字打刻損じを防止しつつ、テープの無駄を必要最小限にできる。
【発明を実施するための最良の形態】
【００２１】
以下、本発明の一実施形態に係るラベル作成装置（テープ処理装置）について、添付図面を参照しながら詳細に説明する。
【００２２】
図１および図２に示すように、このラベル作成装置１は、手持ち部分１３を有する装置ケース２により外郭が形成され、装置ケース２は、前部ケース２ａと後部ケース２ｂとが一体形成されている。前部ケース２ａは、墨字印刷部１２０を有し、テープカートリッジＣから繰り出されるテープ（処理シート）Ｔに対して墨字印刷を行う。また、後部ケース２ｂは、点字打刻部１５０を有し、ユーザがテープＴを手差し挿入した墨字印刷後のテープＴに対して点字打刻を行う。
【００２３】
前部ケース２ａの前部上面には各種入力キーを備えたキーボード３が配置されると共に、後部上面には開閉蓋２１が取り付けられ、開閉蓋２１には長方形のディスプレイ４が配設されている。また、開閉蓋２１の内側左部にテープカートリッジＣを装着するためのカートリッジ装着部６（墨字印刷部１２０）が窪入形成されており、テープカートリッジＣは、蓋体開放ボタン１４の押下により開閉蓋２１が開放された状態でカートリッジ装着部６に着脱可能に装着される。また、開閉蓋２１には、これを閉止した状態でテープカートリッジＣの装着／非装着を視認するための覗き窓２１ａが形成されている。
【００２４】
前部ケース２ａの右側部には、電源供給のための電源供給口１１と、パソコン等の図外の外部装置と接続するための接続口（インタフェース）１２が形成されており、接続することにより、外部装置からの文字情報に基づいて墨字印刷や点字打刻を行い得るようになっている。また、前部ケース２ａの左側部には、カートリッジ装着部６と外部とを連通する印刷テープ排出口２２が形成され、この印刷テープ排出口２２には、墨字印刷部１２０から送り出したテープＴを切断するための切断部１４０が臨んでいる。そして、切断部１４０によりテープＴの後端部が切断されることにより、印刷テープ排出口２２から墨字印刷後のテープＴが排出される。
【００２５】
また、ラベル作成装置１は、図３に示すように、制御系から見た基本的な構成として、キーボード３およびディスプレイ４を有して、文字情報の入力や各種情報の表示などマンマシンインタフェースを司る操作部１１０と、テープカートリッジＣ、印刷ヘッド７および印刷送りモータ１２１を有して、テープＴおよびインクリボンＲを搬送しながらテープＴ上に墨字印刷を行う墨字印刷部１２０と、フルカッタ１４２およびハーフカッタ１４４並びにこれらをそれぞれ駆動するフルカッタモータ１４１およびハーフカッタモータ１４３を有して、印刷済みテープＴを切断する切断部１４０と、を備えている。
【００２６】
また、ソレノイド４７、打刻ピン４１および打刻送りモータ１５１を有して、テープＴを搬送しながらテープＴに点字打刻を行う点字打刻部１５０と、テープＴ（テープカートリッジＣ）の種別を検出するテープ識別センサ１７１、点字打刻部１５０においてテープＴの先端を検出する先端検出センサ９１、同じく点字打刻部１５０においてテープＴに印刷された前後識別情報Ｄを検出する前後識別センサ９２、印刷送りモータ１２１の回転速度を検出する印刷部回転速度センサ１７２、および打刻送りモータ１５１の回転速度を検出する打刻部回転速度センサ１７３を有して、各種検出を行う検出部１７０と、をさらに備えている。
【００２７】
また、ディスプレイドライバ１８１、ヘッドドライバ１８２、印刷送りモータドライバ１８３、カッタモータドライバ１８４、打刻ドライバ１８５および打刻送りモータドライバ１８６を有し、各部を駆動する駆動部１８０と、各部と接続され、ラベル作成装置１全体を制御する制御部２００と、をさらに備えている。
【００２８】
制御部２００は、ＣＰＵ２１０、ＲＯＭ２２０、ＲＡＭ２３０および入出力制御装置（以下、「ＩＯＣ：Input Output Controller」という）２５０を備え、互いに内部バス２６０により接続されている。ＲＯＭ２２０は、墨字印刷処理や点字打刻処理等の各種処理をＣＰＵ２１０で制御するための制御プログラムを記憶する制御プログラムブロック２２１と、墨字印刷を行うための文字フォントデータや点字打刻を行うための点字フォントデータの他、前後識別情報Ｄを墨字印刷するためのデータや点字データの打刻制御のための制御データ等を記憶する制御データブロック２２２とを有している。
【００２９】
ＲＡＭ２３０は、フラグ等として使用される各種ワークエリアブロック２３１の他、生成された墨字データを記憶する墨字データブロック２３２と、生成された点字データを記憶する点字データブロック２３３と、ディスプレイ４に表示するための表示データを記憶する表示データブロック２３４と、設定された墨字印刷領域（印刷配置部）Ｅｐと点字打刻領域（打刻配置部）Ｅｂのレイアウトを記憶するレイアウトブロック２３５と、設定されたレイアウトに応じて点字データを１８０°回転させた状態で打刻する場合に使用する反転点字データＢ´（図９参照）を記憶する反転点字データブロック２３６と、を有し、制御処理のための作業領域として使用される。また、ＲＡＭ２３０は電源が切断されても記憶したデータを保持しておくように常にバックアップされている。
【００３０】
ＩＯＣ２５０には、ＣＰＵ２１０の機能を補うと共に各種周辺回路とのインタフェース信号を取り扱うための論理回路が、ゲートアレイやカスタムＬＳＩなどにより構成されて組み込まれている。これにより、ＩＯＣ２５０は、キーボード３からの入力データや制御データあるいは検出部１７０の各種センサ値を、そのまま或いは加工して内部バス２６０に取り込むと共に、ＣＰＵ２１０と連動して、ＣＰＵ２１０から内部バス２６０に出力されたデータや制御信号を、そのまま或いは加工して駆動部１８０に出力する。
【００３１】
そして、ＣＰＵ２１０は、上記の構成により、ＲＯＭ２２０内の制御プログラムに従って、ＩＯＣ２５０を介してラベル作成装置１内の各部から各種信号・データを入力するとともに、入力した各種信号・データに基づいてＲＡＭ２３０内の各種データを処理し、ＩＯＣ２５０を介してラベル作成装置１内の各部に各種信号・データを出力することにより、墨字印刷処理や点字打刻処理の制御などを行う。
【００３２】
例えば、ＣＰＵ２１０は、キーボード３より文字情報が入力されると、これに基づいて墨字データＰおよび点字データＢを生成し、必要に応じて両データ間での長さ等の調整を行うとともに、反転点字データＢ’を用意する（図９参照）。また、調整前または調整後の墨字データ（余白データを含む）Ｐを墨字データブロック２３２に記憶すると共に、同じく調整前または調整後の点字データ（余白データを含む）Ｂを点字データブロック２３３に記憶し、反転点字データＢ’を反転点字データブロック２３６に記憶する。
【００３３】
また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字データＰに基づく墨字印刷を行うと共に、予め制御データブロック２２２内に記憶されているデータに基づいて、挿入するテープＴの前後識別情報Ｄの印刷も行う。その後、墨字データに基づいて（必要に応じて調整済みの）所定長さのテープ送りを行い、フルカッタ１４２によりテープ後端部を切断して、印刷テープ排出口２２からテープＴを排出する。
【００３４】
また、図１〜図３を参照して、引き続き（リセット操作や電源オフ操作が無い状態で）、ユーザによる手差し挿入により、短冊状に切断されたテープＴが打刻テープ挿入口３１に挿入されると、打刻ユニット８０およびテープ送り機構６０を駆動することにより、点字データＢまたは反転点字データＢ′に基づいて点字打刻を行う。そして、打刻終了後、打刻送りモータ１５１の駆動により、点字データＢ等に基づく調整済みの所定長さのテープ送りを行って、打刻テープ排出口３２からテープＴを排出する。なお、打刻ユニット８０による打刻開始は、先端検出センサ９１によるテープ先端の検出をトリガとするのではなく、ユーザがキーボード３上の打刻開始キーを押下することにより手動開始させることも可能である。
【００３５】
ここで、図４を参照し、テープＴ上に形成される点字Ｂ（６点点字Ｂ）について説明する。
【００３６】
点字器や点字タイプライタ等で慣用されている１文字（１マス）や文字間（マス間）の仕様（以下「民間仕様」）によれば、同図に示すように、６点点字Ｂは、縦３個×横２個の６個の点（打刻ポイント：いわゆる「１の点」〜「６の点」と呼ばれる６個の点：図右上に注記）で１マス２０１が構成され、６個の点のうちの打刻点および非打刻点のパターンにより、この１マス２０１で、１文字または濁点等の属性を表現するものである、例えば図４（ａ）は、１の点、２の点、５の点、６の点を打刻点とし、３の点、４の点を非打刻点とすることにより、文字情報「し」を表現する点字（点字データ）Ｂを示す図である。
【００３７】
なお、点字Ｂには、このような仮名文字や数字等を表す６点点字Ｂの他、漢字を表す８点点字（１マスが縦４個×横２個の点で構成される点字）も使用されている。ここでは、６点点字Ｂを形成する場合を例に挙げて説明するが、８点点字を形成するラベル作成装置においても本発明は適用可能である。
【００３８】
６点点字Ｂは、１マス２０１が縦３個×横２個の配置パターンで６個の打刻ポイント２０１ａ〜２０１ｆに分割されており、縦方向のピッチが略２．４ｍｍ、マス内の横方向のピッチが略２．１ｍｍ、マス間のピッチは略３．３ｍｍとなっている。同図では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状（図４（ｂ）参照）を有する４個の打刻凸部２０２ａ、２０２ｂ、２０２ｅ、２０２ｆが形成されている。なお、６点点字Ｂを打刻するためには、１マス２０１の大きさ（テープ幅方向長さ）から換算して、最低限テープ幅１２ｍｍ（テープＴ３）が必要となっている。
【００３９】
また、実施形態のラベル作成装置１は、打刻ユニット８０として相互に交換可能な２種類のユニットが用意されており、一方は直径が略１．４ｍｍの小形の小打刻凸部２０３を形成し、他方は直径が略１．８ｍｍの大形の大打刻凸部２０４を形成する。大小２種類の打刻凸部２０３、２０４は、その用途によって使い分けられるものであり、例えば、小打刻凸部２０３が点字Ｂの読み取りに慣れた者（先天盲者）向けであって、大打刻凸部２０４が初心者（中途失明者）向けである。
【００４０】
図１〜図３を参照して、さらに詳述する。キーボード３には、文字キー群３ａ、および各種動作モード等を指定するための機能キー群３ｂが配列されている。文字キー群３ａは、墨字印刷や点字打刻を行うための文字情報を入力するためのものであり、ＪＩＳ配列に基づいたフルキー構成となっている。また、機能キー群３ｂには、一般のワープロ等と同様に、処理の取り消し等のための取消キー、カーソル移動用のカーソルキー、各種選択画面における選択肢の決定やテキスト入力時の改行のための確定（エンター）キーなどが含まれる。
【００４１】
また、さらに機能キー群３ｂには、墨字印刷や点字打刻を実行させるための印刷・実行キー（印刷キー）、点字打刻部１５０におけるテープＴの送り開始を指示する送り開始キー、手動により点字打刻を行わせる打刻開始キーの他、墨字印刷や点字打刻を行うための処理モードを選択するモードキー、墨字印刷領域（印刷配置部）Ｅｐと点字打刻領域（打刻配置部）Ｅｂの配置を設定するレイアウトキー、その配置結果を印刷等の実行前にスクロール表示させるためのスクロールキー、テストモード設定のためのテストモードキーなどが含まれる。
【００４２】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（同図（ｂ）参照）、入力された文字情報に基づいて点字打刻のみを行う第３処理モード（同図（ｃ）参照）があり、いずれか１つの処理モードが選択される。
【００４３】
ディスプレイ４は、横方向（Ｘ方向）約１２ｃｍ×縦方向（Ｙ方向）５ｃｍの長方形の形状の内側に、１９２ドット×８０ドットの表示画像を表示可能であり、ユーザがキーボード３から文字情報を入力して、墨字データや点字データを作成・編集したりする際に用いられる。また、各種エラーやメッセージ（指示内容）を表示し、ユーザに報知する。
【００４４】
墨字印刷部１２０において、カートリッジ装着部６には、ヘッドカバー２０ａ内にサーマルヘッドから成る印刷ヘッド７が内蔵されたヘッドユニット２０と、印刷ヘッド７に対峙するプラテン駆動軸２５と、インクリボンＲを巻き取る巻き取り駆動軸２３と、テープリール１７の位置決め突起２４と、を備えている。また、カートリッジ装着部６の下側には、プラテン駆動軸２５および巻き取り駆動軸２３を回転させる印刷送りモータ１２１が内蔵されている。
【００４５】
テープカートリッジＣは、カートリッジケース５１内部にテープリール１７とリボンリール１９とを収容して構成されており、テープＴとインクリボンＲは同じ幅で構成されている。また、ヘッドカバー２０ａに差し込むための貫通孔５５が形成されており、テープＴとインクリボンＲとが重なる部分に対応して、プラテン駆動軸２５に嵌合されて回転駆動するプラテンローラ５３が配置されている。また、リボンリール１９から繰り出されたインクリボンＲは、ヘッドカバー２０ａを周回して、リボンリール１９に近接配置されたリボン巻き取りリール５４に巻き取られるようになっている。
【００４６】
テープカートリッジＣがカートリッジ装着部６に装着されると、ヘッドカバー２０ａに貫通孔５５が、位置決め突起２４にテープリール１７の中心孔が、プラテン駆動軸２５にプラテンローラ５３が、巻き取り駆動軸２３にリボン巻き取りリール５４の中心孔がそれぞれ差し込まれ、テープＴおよびインクリボンＲを挟み込んで印刷ヘッド７がプラテンローラ５３に当接して墨字印刷が可能になる。そして、墨字印刷後のテープＴは、印刷テープ排出口２２に送られる。
【００４７】
テープＴは、裏面に粘着剤層（粘着層）が設けられた基材テープ（基材シート：情報形成層）Ｔｂと、この粘着剤層を覆うように基材テープＴｂに貼付された剥離テープ（剥離シート：剥離層）Ｔｅとから構成されている。基材テープＴｂは、表側から、インクリボンＲから感熱転写されるインクの定着性を高めた受像層と、基材テープＴｂの主体を為すポリエチレンテレフタレート（ＰＥＴ）製のフィルムで構成された基材層と、粘着剤で構成された粘着剤層と、を積層して構成されている。剥離テープＴｅは、基材テープＴｂをラベルとして使用する時まで粘着剤層に埃などが付着しないようにするためのものであって、表面にシリコン処理がなされた上質紙（実施形態のものはＰＥＴ製）などで構成されている。
【００４８】
また、テープＴは、テープ種別（テープ幅、テープ色、墨字インク色、テープ材質など）が異なる複数種のものが用意されており、この種別を指標する複数の孔（図示省略）がカートリッジケース５１の裏面に設けられている。また、複数の孔に対応してカートリッジ装着部６には、これらを検出するテープ識別センサ（マイクロスイッチ）１７１が複数設けられており、このテープ識別センサ１７１の状態を検出することで、テープ種別を判別できるようになっている。なお、本実施形態では、テープ幅２４ｍｍ（テープＴ１）、テープ幅１８ｍｍ（テープＴ２）、テープ幅１２ｍｍ（テープＴ３）の３種を例に挙げて説明する（図６参照）。
【００４９】
次に、切断部１４０において、フルカッタ１４２は、詳細は図示しないが、上下方向にスライドカット可能な斜刃のカッタ刃を有するスライド形式のもので、フルカッタモータ１４１を駆動源とするクランク機構を介して、カッタ刃（カッタホルダ）を、テープＴの幅方向にスライド動作させるようになっている。カッタ刃がスライド動作すると、これに臨むテープＴの基材テープＴｂおよび剥離テープＴｅの両方を切断、すなわちテープＴをフルカットするようになっている。
【００５０】
また、同様に、ハーフカッタ１４４は、フルカッタ１４２と概ね同形状のスライドカット可能な斜刃のカッタ刃を有するスライド形式のもので、テープ送り上流側（テープカートリッジＣに近い側）に配設され、ハーフカッタモータ１４３を駆動源とするクランク機構を介して、テープＴの幅方向にスライド動作可能に構成されている。この場合、カッタ刃の突出量は、フルカッタ１４２の場合と異なり、基材テープＴｂのみをカットする突出量に調整され、カッタ刃がスライド動作すると、これに臨むテープＴの基材テープＴｂのみを切断、すなわちテープＴをハーフカットするようになっている。そして、このハーフカット（ハーフカットライン）ｈｃにより、テープＴにハーフカット部（ハーフカット領域：捨て代部）Ｅｈが形成される（図９等参照）。
【００５１】
一方、後部ケース２ｂには、その内部に点字打刻を行うアッセンブリ（点字打刻部１５０）が組み込まれ、その上面は点字打刻部１５０（具体的には、テープ走行路７０、打刻ユニット８０およびテープ送り機構６０）が露出するように十字状に開放されている。また、この切り欠き開口部３０の右部にはユーザによりテープＴが手差し挿入される打刻テープ挿入口３１が形成され、左部には点字打刻後のテープＴが排出される打刻テープ排出口３２が形成されている。
【００５２】
点字打刻部１５０は、３個の打刻ピン４１（図５（ｂ）参照）により点字打刻を行う打刻ユニット８０と、打刻テープ挿入口３１に挿入されたテープＴを打刻テープ排出口３２に向けて送るテープ送り機構６０と、テープＴが搬送されるテープ走行路７０とを有し、テープ送り機構６０の駆動によりテープ走行路７０に沿って送られていくテープＴに対し、打刻ユニット８０により３個の打刻ピン４１を選択的に駆動することで点字Ｂが形成される。
【００５３】
次に、打刻ユニット８０は、図５に示すように、テープＴの裏面側に配設されると共に上記３個の打刻ピン４１が組み込まれた打刻部材（打刻ヘッド）８１と、テープＴを挟んで打刻部材８１と対向する位置で打刻ピン４１を受ける打刻受け部材８２とを備え、テープ走行路７０の幅方向における図示下端部に固定配置されている。
【００５４】
打刻部材８１は、テープ幅方向（同図（ａ）における上下方向）に沿って、２．４ｍｍの間隔で配列された３個の打刻ピン４１を備えており、６個のうち縦３個の打刻ポイント２０１ａ〜２０１ｃ（または２０１ｄ〜２０１ｆ）に対応していると共に、ソレノイド４７を駆動源とした直線運動をガイドするガイド部材４５によって、テープＴに対し垂直に保持されている。打刻ピン４１の頭部４１ａは、打刻した打刻凸部２０２の形状が角の丸まった円筒形、半球形、円錐形、四角錐形等の断面形状（図４（ｂ）参照）となるような形状に形成されている。
【００５５】
ここで、ソレノイド４７によりプランジャー４８が直線運動を行うと、アーム部材４６が支持部材４９を支点として回動し、打刻ピン４１がテープＴに対し垂直方向に直線運動を行う。そして、３個のアーム部材４６にそれぞれ接続された３個のソレノイド４７は、三角形状の角部に位置するようにそれぞれ配設されている。一方、打刻受け部材８２は、３個の打刻ピン４１と対向する面４２ａに、３個の打刻ピン４１に対応する３個の打刻受け凹部４３が形成されている。そして、この打刻ピン４１と打刻受け部材８２とにより、テープＴに打刻凸部２０２を形成する。
【００５６】
また、点字打刻部１５０は、図６に示すように、テープＴの搬送をガイドするガイド部材７１、７２と、テープＴの先端を検出する透過型の先端検出センサ９１と、テープＴの前後を識別するための前後識別情報Ｄを検出する反射型の前後識別センサ９２（検出センサ）と、をさらに備えている。前後識別情報Ｄとしては、図示のとおり、テープＴの先端部且つ図示下端部付近に点「・」が印刷されており、これによってテープの挿入方向（前側）が指標されている。
【００５７】
打刻テープ挿入口３１には、テープ幅の大きいものからテープＴ１、Ｔ２、Ｔ３（テープ幅２４、１８、１２ｍｍ）が挿入可能であり、最大テープ幅のテープＴ１については上下ガイド７１、７２によってガイドされ、それ以外のテープＴ２、Ｔ３については、下ガイド部材７１のみによってガイドされ、ユーザによりその先端がテープ送り機構６０（送りローラ６１）に到達するまで（挿入可能な位置まで）手差し挿入される。そして、キーボード３上のテープ送り開始キーの押下によりテープ送り機構６０によるテープ送りが開始される。
【００５８】
次に、図７〜図９を参照し、ラベル作成装置１の全体処理について説明する。図７に示すように、電源キーの押下（電源オン）により処理が開始すると、まず、前回の電源オフ時の状態に戻すために、退避していた各制御フラグを復旧するなどの初期設定を行い（Ｓ１０）、テープ識別センサ１７１（図３参照）によりテープ種別を検出し（Ｓ１１）、続いて、ユーザによるキーボード３からの（またはパソコン等の外部装置からの）データ入力により文字情報が入力され、編集画面等として各種の情報が表示される（Ｓ１２）。
【００５９】
ここで、キーボード３からのモード選択指示（モードキー入力）により（または外部装置からの指示入力により）、モード選択割込が発生すると（ＩＮＴＭ）、処理モード選択の処理が起動され、第１処理モード（墨点併記）、第２処理モード（墨字のみ）および第３処理モード（点字のみ）のいずれかが選択される（Ｓ１３）。
【００６０】
また、レイアウト設定指示（レイアウトキー入力）により（または外部装置からの指示入力により）、レイアウト設定割込が発生すると（ＩＮＴＬ）、レイアウト設定の処理が起動され（Ｓ２９）、印刷／実行指示（印刷キー入力）により（または外部装置からの指示入力により）、印刷割込が発生すると（ＩＮＴＧ）、実行前設定の処理が起動される（Ｓ１４）。
【００６１】
ここで、実行前設定（Ｓ１４）では、実際の墨字印刷や点字打刻に際してその時点で必要とされる割付配置等の設定や各設定の最終確認等が行われる（詳細は後述）。なお、モード選択割込やレイアウト設定割込がないまま、印刷割込が発生したときには（ＩＮＴＧ）、デフォルトとして前回の設定のモード（初期設定では、第１処理モード、点字下段、墨点並行）が選択される。
【００６２】
そして、実行前設定（Ｓ１４）が終了すると、その途中で取消キー押下による取消指示や定長設定時の再編集要請があったか否かを判別し（Ｓ２８）、有れば（Ｓ２８：Ｙｅｓ）、文字情報入力状態（Ｓ１２）に戻って再編集等を行い、無ければ（Ｓ２８：Ｎｏ）、実際の墨字印刷や点字打刻の処理を開始する。
【００６３】
すなわち、図７および図８（ａ）に示すように、第１処理モードの場合（Ｓ１３：（ａ））、ハーフカットによるハーフカットライン（以下単に「ハーフカット」）ｈｃにより、ハーフカット領域（ハーフカット代：捨て代）Ｅｈを確保し、墨字印刷部１２０による前後識別情報Ｄの印刷を行い、続いて墨字印刷領域Ｅｐに対して墨字Ｐの印刷（墨字印刷）を行う（Ｓ１５）。その後、テープカット（フルカット）と印刷テープ排出口２２からのテープＴの排出を行い（Ｓ１６）、ディスプレイ４上に打刻テープ挿入口３１へのテープ挿入指示を表示する（Ｓ１７）。なお、この指示表示は、インジケータやＬＥＤによって行っても良い。また、ハーフカット領域Ｅｈを確保するか否かは、レイアウト設定（Ｓ２９）において、任意に設定できる（下記の第２、第３処理モードにおいても同様）。
【００６４】
テープ挿入指示に従って、ユーザによりテープＴが打刻テープ挿入口３１に挿入（手差し挿入）されると、点字打刻部１５０により点字Ｂの打刻（点字打刻）を行った後（Ｓ１８）、打刻テープ排出口３２から打刻済みテープＴを排出し（Ｓ１９）、処理を終了する（Ｓ２７）。この場合、点字打刻部１５０では、前後識別情報Ｄの検出を行い、検出結果と設定されたレイアウトに応じた点字打刻方向に基づいて、テープ挿入方向が間違っている場合には、点字打刻を行わないようにしている。なお、墨字印刷と点字打刻は、同じ文字情報に基づいて実行するのではなく、異なる文字情報に基づいて実行することも可能である。
【００６５】
また、第２処理モードの場合（Ｓ１３：（ｂ））、図７および図８（ｂ）に示すように、墨字印刷部１２０によるハーフカット領域Ｅｈの確保、前後識別情報Ｄの印刷および墨字印刷の後（Ｓ２０）、テープカット・排出を行い（Ｓ２１）、処理を終了する（Ｓ２７）。すなわち、第２処理モードでは、装着されたテープカートリッジＣから繰り出されたテープＴが墨字印刷部１２０へ送られることによって墨字Ｐを印刷する。なお、第２処理モードが選択された場合は、前後識別情報Ｄの印刷を省略することも可能である。
【００６６】
また、第３処理モードの場合（Ｓ１３：（ｃ））、ディスプレイ４上に打刻テープ挿入口３１へのテープ挿入指示を表示し（Ｓ２４）、ユーザによるテープ挿入により点字打刻を行った後（Ｓ２５）、打刻テープ排出口３２から打刻済みテープＴを排出し（Ｓ２６）、処理を終了する（Ｓ２７）。すなわち、第３処理モードでは、図８（ｃ）に示すように、短冊状のテープ（任意の長さにカットされたテープ）Ｔが手差し挿入により点字打刻部１５０に送られて、点字Ｂを打刻する。また、この場合も、第１処理モードの場合と同様に、点字打刻部１５０において、前後識別情報Ｄの検出結果と設定されたレイアウトの点字打刻方向に対して挿入方向が間違っている場合、点字打刻を行わないようにしている。
【００６７】
なお、第３処理モードの場合も、前後識別情報Ｄの検出を省略することが可能であり、前後識別情報Ｄの検出を行うか否かを選択できるようにしても良い。また、点字打刻部１５０の上流側にテープカートリッジＣを装着し、テープカートリッジＣから繰り出された長尺状のテープに点字打刻を行わせることも可能である。
【００６８】
また、手差し挿入のための短冊状のテープＴを入手するために、テープ挿入指示（Ｓ２４）の前に、図７および図８（ｃ）に点線で図示のように、第１処理モードの墨字印刷の代わりの空印刷（何も印刷しないでテープ送りのみ）を行った後（Ｓ２２）、テープカット・排出を行い（Ｓ２３）、排出されたテープカット後のテープＴを、手差し挿入用の短冊状のテープＴとして利用しても良い。また、この場合、墨字印刷部１２０を用いるので、第１処理モードや第２処理モードの場合と同様に、ハーフカット領域Ｅｈの確保を設定でき、設定した場合、空印刷において、ハーフカットｈｃによりハーフカット領域Ｅｈを確保する。
【００６９】
次に、レイアウト設定（Ｓ２９）では、テープ幅検出結果（Ｓ１１）および処理モード選択結果（Ｓ１３）に基づいて、主な設定として、テープＴ上における墨字印刷領域（印刷配置部）Ｅｐや点字打刻領域（打刻配置部）Ｅｂの相対位置や（図９等参照）、各配置部の長さ（印刷配置部長さＰＬ、打刻配置部長さＢＬ、仮想カット長ＶＬ、ハーフカット長ＨＬ等：図１２等参照）が設定され、その他、墨字印刷の文字サイズなど、一般的なテープ印刷装置やワープロ等と同様の設定が行われる。
【００７０】
そして、特に第１処理モード（墨点併記）の場合、図９に示すように、テープ幅の検出結果が２４ｍｍ（テープＴ１）の場合は（同図（ａ）参照）、印刷配置部Ｅｐが上段，打刻配置部Ｅｂが下段（ａ―１：以下「点字下段」）、または印刷配置部Ｅｐが下段，打刻配置部Ｅｂが上段（ａ―２：以下「点字上段」）のいずれかのレイアウトが選択される。
【００７１】
また、テープ幅１８ｍｍ（テープＴ２）の場合も（図９（ｂ）参照）、点字下段（ｂ―１）、点字上段（ｂ―２）のいずれかが選択されることとなるが、この場合、テープ幅に合わせて印刷配置部Ｅｐのテープ幅方向長さが短くなる。なお、これらのテープＴ１やテープＴ２の場合、墨字と点字とを並行に配置するレイアウト（墨点並行）以外に、墨字と点字とを重ねるレイアウト（墨点重ね）を選択して設定できるようになっている。
【００７２】
なお、テープ幅１２ｍｍ（テープＴ３）の場合は（図９（ｃ）参照）、テープ幅が点字１マス２０１の大きさ（テープ幅方向長さ）を打刻可能な最小の長さであるため（図４（ａ）参照）、点字上段・下段の選択、墨点並行／重ねの選択・設定に拘わらず、印刷配置部Ｅｐと打刻配置部Ｅｂが重なり合ったレイアウトのみとなる。
【００７３】
ここで、レイアウト設定（Ｓ２９）において設定する各部の長さについて説明しておく。まず、印刷配置部Ｅｐのテープ長手方向の長さである印刷配置部長さＰＬについて説明する。なお、ここでは、理解しやすくするため、ハーフカット代はないものとする。
【００７４】
まず、例えば１行の文字（キャラクタ）列「Ａｂｃ」が入力されたテキスト編集画面表示の状態で、印刷キーが押され、印刷割込が発生すると（ＩＮＴＧ）、例えばテープ幅１２ｍｍ（テープＴ３）で第２処理モード（墨字のみ）が選択されていたときには、例えば図１０の墨字画像（墨字データ）Ｇｐ０に従って墨字印刷の後（Ｓ２０）、印刷テープ排出口２２からテープＴを排出し（Ｓ２１）、処理を終了する（Ｓ２７）。この場合、墨字のみなので、そのまま墨字印刷結果のラベルＬｐ０となる。
【００７５】
ここで、図１０に示すように、まず、文字数Ｎｐは「Ａｂｃ」の３文字より、文字数Ｎｐ＝３とし、１文字の文字幅Ｐｗ＝６．０ｍｍ、文字間Ｐｓ＝２．０ｍｍとする。また、一般的な文字印刷と同様に、余白を含まない実画像Ｇｐｔの墨字の前余白領域（前余白部）Ｅｐｆの長さ（墨字前余白長）ＭｐＦと、墨字の後余白領域（後余白部）Ｅｐｒの長さ（墨字後余白長）ＭｐＲと（まとめて示すときは、墨字前後余白Ｍｐ（＝ＭｐＦ＝ＭｐＲの場合））を、それぞれ２．０ｍｍとする。なお、文字高も調整可能であるが、以下では、文字高＝文字幅として、文字高の説明を省略する。
【００７６】
この場合、図示のように、実画像Ｇｐｔ分の長さ、すなわち実印刷領域（実印刷部）Ｅｐｔの長さ（実印刷長）ＰｔＬは、ＰｔＬ＝Ｐｗ×Ｎｐ＋Ｐｓ×（Ｎｐ−１）＝６．０×３＋２．０×２＝２２．０［ｍｍ］となる。
【００７７】
そこで、前後余白を含む墨字画像Ｇｐ０の長さ、すなわち印刷配置部Ｅｐの長さ（印刷配置部長さ）ＰＬは、墨字前余白長ＭｐＦおよび墨字後余白長ＭｐＲを加算して、ＰＬ＝ＭｐＦ＋ＰｔＬ＋ＭｐＲ＝２．０＋２２．０＋２．０＝２６．０［ｍｍ］となる。
【００７８】
次に、打刻配置部Ｅｂのテープ長手方向の長さである打刻配置部長さＢＬについて説明する。
【００７９】
ここで、例えばテープ幅１２ｍｍ（テープＴ３）で第３処理モード（点字のみ）が選択されていたときには、前述のように、必要に応じて空印刷〜テープＴ排出（Ｓ２２〜Ｓ２３）の後、テープ挿入指示を表示し（Ｓ２４）、テープＴが手差し挿入されると、例えば図１１の点字画像（点字データ）Ｇｂ０に従って点字打刻を行って（Ｓ２５〜Ｓ２６）、処理を終了する（Ｓ２７）。この場合、点字のみなので、そのまま点字打刻結果のラベルＬｂ０となる。
【００８０】
ここで、図４（ａ）および図１１に示すように、点字によって文字列「Ａｂｃ」を表現するため、１マス目は外字を表す外字符（打刻点：５、６）、２マス目が大文字を表す大文字符（打刻点：６のみ）、３〜５マス目が、それぞれ、ａ（打刻点：１のみ）、ｂ（打刻点１、２）、ｃ（打刻点：１、４）の、５マスで表現することになるので、文字数（この場合、マス数）Ｎｂ＝５とする。
【００８１】
また、余白を含まない実画像Ｇｂｔの点字の前余白領域（前余白部）Ｅｂｆの長さ（点字前余白長）ＭｂＦと、点字の後余白領域（後余白部）Ｅｂｒの長さ（点字後余白長）ＭｂＲと（まとめて示すときは、点字前後余白Ｍｐ（＝ＭｐＦ＝ＭｐＲの場合））を、それぞれ２．１ｍｍとする。また、最初のマスの前端〜最初の点（例えば１の点）の間の長さと、最後のマスの最後の点（例えば４の点）〜最後のマスの後端の間の長さを、前述の民間仕様の１−４間ピッチＢ１４の半分とし、Ｂ１４／２と表現する。
【００８２】
この場合、図示のように、実画像Ｇｂｔ分の長さ、すなわち実打刻領域（実打刻部）Ｅｂｔの長さ（実印刷長）ＢｔＬは、ＢｔＬ＝Ｂ１４×（Ｎｂ＋１）＋Ｂ４１×（Ｎｂ−１）＝２．１×（５＋１）＋３．３×（５−１）＝２５．８［ｍｍ］となる。
【００８３】
そこで、前後余白を含む点字画像Ｇｂ０の長さ、すなわち打刻配置部Ｅｂの長さ（打刻配置部長さ）ＢＬは、点字前余白長ＭｂＦおよび点字後余白長ＭｂＲを加算して、ＢＬ＝ＭｂＦ＋ＢｔＬ＋ＭｂＲ＝２．１＋２５．８＋２．１＝３０．０［ｍｍ］となる。
【００８４】
次に、テープ幅２４ｍｍ（テープＴ１）で且つハーフカット領域Ｅｈを長さ（ハーフカット長）ＨＬ＝１０ｍｍとして、以下、さらに具体的に各部長さについて説明を続ける。
【００８５】
ここで、第１処理モード（墨点併記）が選択されていたときには、必要に応じてラベルとなる長さ（ラベル長）ＲＬを調整する。例えば図１０で前述の墨字画像Ｇｐ０と図１１で前述の点字画像Ｇｂ０とを組み合わせる場合、すなわち墨字画像Ｇｐ０に従った墨字印刷後に、点字画像Ｇｂ０に従った点字打刻を行う場合、墨字印刷前に両者の長さを調整する。
【００８６】
また、第１処理モード（墨点併記）のときのラベル長ＲＬは、図１２に示すように、実印刷長ＰｔＬと実打刻長ＢｔＬとの大きい方を基準として、その前余白や後余白を加えた値とする。上述の場合、ＰｔＬ≦ＢｔＬなので、打刻配置部長さＢＬ＝ＭｂＦ＋ＢｔＬ＋ＭｂＲ＝３０．０ｍｍ側を採用し、ＲＬ（＝ＢＬ）＝３０ｍｍとなる。
【００８７】
もちろん、ＰｔＬ＞ＢｔＬの場合、逆に、ＰＬ＝ＭｐＦ＋ＰｔＬ＋ＭｐＲ側を採用し、ＲＬ＝ＰＬとなる。また、後述の「均等」（均等配置）、「左寄せ」（前寄せ、前端合わせ）、「中寄せ」（中央合わせ、センタリング）、「右寄せ」（後寄せ、後端合わせ）等においても、実印刷長ＰｔＬと実打刻長ＢｔＬとの大きい方を基準として、小さい方を割り付ける。図１２では、大きい方の実打刻長ＢｔＬの範囲に、小さい方の実印刷長ＰｔＬを「左寄せ」で割り付けた例を示している。
【００８８】
この場合、長さ調整前の印刷配置部長さＰＬを改めて印刷配置部長さＰＬ２とし、調整後の長さを印刷配置部長さＰＬとすると、印刷配置部長さＰＬ２→ＰＬ（＝ＲＬ）と調整することになり、調整後の印刷配置部長さＰＬとしたときの「Ａｂｃ」の実画像は、レイアウト設定（Ｓ２９）において、「均等」が選択されたときには、印刷配置部長さＰＬ内に「均等」に配置され、図９（ａ）に示すようなラベルとなる。ただし、以下の説明では、元の長さの差を明確に示すために、前端側を揃える「左寄せ」（前寄せ）、中央を揃える「中寄せ」、後端側を揃える「右寄せ」（後寄せ）のいずれかを例示するものとする。
【００８９】
レイアウト設定（Ｓ２９）において、ハーフカット長ＨＬ＝１０ｍｍ、「点字下段」「墨点並行」且つ「墨字左寄せ」が設定され、テープ幅２４ｍｍ（テープＴ１）で第１処理モード（墨点併記）が選択されていたときには、「墨字左寄せ」なので、図１２に示すように、墨字前余白長ＭｐＦ＝２．０を０．１ｍｍ延長して、墨字前余白長ＭｐＦ＝ＭｂＦ＝２．１ｍｍとするとともに、墨字後余白長ＭｐＲ２＝２．０ｍｍを、墨字後余白長ＭｐＲ＝ＭｐＲ２＋（ＢｔＬ−ＰｔＬ）−０．１＝２．０＋（２５．８−２２．０）−０．１＝５．９ｍｍまで延長し、これにより、図１０で前述の墨字画像Ｇｐ０の印刷配置部長さＰＬをラベル長ＲＬまで拡張して、印刷配置部長さＰＬ＝ＲＬの墨字画像Ｇｐ１を作成する。
【００９０】
そこで、これらの設定後、印刷／実行指示（印刷キー入力）により印刷割込が発生すると（ＩＮＴＧ）、図７および図１２（ａ）に示すように、最初にハーフカット長ＨＬ＝１０．０ｍｍのハーフカット代Ｅｈを確保し、続いて印刷配置部長さＰＬ（＝ＲＬ）＝３０．０ｍｍの墨字画像Ｇｐ１により墨字印刷を行った後（図７のＳ１５〜Ｓ１６）、テープ挿入指示を表示し（Ｓ１７）、テープＴが手差し挿入されると、同図の点字画像Ｇｂ１（＝Ｇｂ０）の点字打刻を行って（Ｓ１８〜Ｓ１９）、処理を終了する（Ｓ２７）。これにより、図１２（ａ）の墨点併記のラベルＬ００を作成できる。
【００９１】
ところで、上述の第１処理モード（墨点併記）の場合、図８（ａ）で前述のように、墨字印刷部１２０において、テープＴをカット長ＣＬ（＝ＨＬ＋ＲＬ）分だけ送りながら墨字印刷を行って、所望のカット長ＣＬでフルカットすることにより、カット長ＣＬの短冊状のテープＴを用意し、それを点字打刻部１５０に手差し挿入してカット長ＣＬ分だけテープ送りをしながら、点字打刻を行う。また、上述の第３処理モード（点字のみ）が選択されているときに、図８（ｃ）で前述のように、墨字印刷部１２０においてカット長ＣＬ分だけ空送りして、所望のカット長ＣＬの短冊状のテープＴを用意する場合も、同様である。
【００９２】
しかし、これらの場合、送り機構（および送り工程）が個別なので、テープ送りに関して例えば滑り等による誤差（送り誤差）が生じる可能性があり、その送り誤差によって、墨字印刷部１２０で用意したテープＴが、点字打刻部１５０における点字打刻のために必要な長さより短かった場合や、点字打刻部１５０における打刻位置が意図した位置よりも後方にずれた場合には、点字打刻部１５０において点字打刻が終了する以前にテープＴが無くなって（短冊状のテープＴの長さが短くて）、点字の打刻損じが発生する可能性があり、かといって、長すぎるテープを用意したのでは、その後、所望のカット長に挟み等を用いてカットする手間を要し、かつその分のテープが無駄になる。
【００９３】
そこで、ラベル作成装置１では、点字打刻部（別の送り機構）１５０により点字打刻されるテープＴを、墨字印刷部１２０においてテープカットにより用意するに際して、カット長ＣＬを調整して、送り誤差による点字打刻損じを防止しつつ、テープＴの無駄を必要最小限にできるようにしている。
【００９４】
この処理は、図７で触れた実行前設定（Ｓ１４）で行われるので、この処理を中心に、実行前設定（Ｓ１４）について、以下に詳述する。
【００９５】
ここで、まず、前述のレイアウト設定（Ｓ２９）において、図１２（ａ）で上述のラベルＬ００が作成できるように、各種の配置や各部長さの設定が為されたものとする
【００９６】
ここで、以下に説明するカット長ＣＬの調整のイメージを、図１２（ａ）で上述の具体例を用いて説明しておく。以下では、誤差比率をカット長の５％とする。そこで、まず、レイアウト設定上のカット長を仮カット長（仮想カット長）ＶＬとすると、ハーフカット長ＨＬ＝１０．０ｍｍなので、ＶＬ＝ＨＬ＋ＢＬ（ここでは長さ調整済みで、ラベル長ＲＬ＝ＢＬ＝ＰＬなので、ＨＬ＋ＰＬあるいはＨＬ＋ＲＬとしても良い。）＝１０．０＋３０．０＝４０．０［ｍｍ］となる。
【００９７】
カット長調整では、点字打刻部１５０で実打刻長ＢｔＬを打刻したときに打刻損じを生じないために、点字打刻部１５０でテープ送りをする際に実打刻長ＢｔＬの上流側となる余白長を調整対象余白長（上流側余白長）Ｍｃとし、その必要最小限の長さを、テープ送りの際の送り誤差による長さ（誤差長）ｅとし、仮想カット長ＶＬの５％とする。すなわち、必要最小限、誤差長ｅ＝ＶＬ×０．０５＝４０．０×０．０５＝２．０［ｍｍ］分の余白が上流側余白長Ｍｃとして用意してあれば、点字の打刻損じを防止できる、と考える。
【００９８】
上述の例では、点字の前端側から点字打刻部１５０に挿入するので（図９（ａ）の（ａ−１）参照）、調整対象余白長（上流側余白長）Ｍｃは、点字後余白長ＭｂＲ側となり、打刻損じの防止のために付加する調整余白長ＤＬは、誤差長ｅと調整対象余白長Ｍｃとの差分と考えられるので、ＤＬ＝ｅ−Ｍｃ＝ＶＬ×０．０５−Ｍｃ＝４０．０×０．０５−２．１＝−０．１［ｍｍ］となる。そして、ＤＬ≦０の場合、付加する必要がある調整余白長ＤＬが０以下（すなわちｅ≦Ｍｃ）のため、調整無しでも、打刻損じ防止の余白長として最小限必要な長さの条件を満たしている。したがって、この例では、カット長の調整無しで、仮カット長ＶＬをそのままカット長ＣＬとする。すなわち、カット長ＣＬ＝ＶＬ＝４０．０ｍｍとする。
【００９９】
次に、図１３に示すように、図１１で前述の打刻配置部Ｅｂに対して、実打刻部Ｅｂｔの長さである実打刻長ＢｔＬは同じまま、前後余白Ｍｂ（＝ＭｂＦ＝ＭｂＲ）＝１．６ｍｍの打刻配置部Ｅｂを考えると、打刻配置部長さＢＬ＝ＭｂＦ＋ＢｔＬ＋ＭｂＲ＝１．６＋２５．８＋１．６＝２９．０［ｍｍ］となる。
【０１００】
この場合、図１２で前述の例と同様に考えると、図１４（ｂ）に示すように、仮想カット長ＶＬ＝ＨＬ＋ＢＬ（＝ＨＬ＋ＰＬ）＝１０．０＋２９．０＝３９．０［ｍｍ］となり、調整余白長ＤＬ＝ｅ−Ｍｃ＝ＶＬ×０．０５−Ｍｃ＝３９．０×０．０５−１．６＝０．３５［ｍｍ］となり、ＤＬ＞０となる。すなわち、調整対象余白長（上流側余白長）Ｍｃ＝ＭｐＲ＝１．６ｍｍでは、打刻損じの防止のためには不十分な長さであり（ｅ＞Ｍｃ）、調整余白長ＤＬ＝０．３５ｍｍ分だけ付加する必要がある。
【０１０１】
したがって、この例では、図１４に示すように、調整対象余白長Ｍｃである点字後余白長ＭｐＲ＝１．６ｍｍを、誤差長ｅ＝ＶＬ×０．０５＝１．９５ｍｍと同じになるまで延長し、点字後余白長ＭｐＲ＝１．９５ｍｍとするため、調整余白長ＤＬ＝０．３５ｍｍ分を付加したカット長ＣＬ＝ＶＬ＋ＤＬ＝３９．０＋０．３５＝３９．３５［ｍｍ］とする。これにより、送り誤差による点字打刻損じを防止しつつ、誤差長ｅまでの延長なので、テープＴの無駄を必要最小限にできる。
【０１０２】
次に、上述のようなカット長調整を可能とする処理フローについて、以下に詳述する。この場合、図７で前述の印刷割込が発生して（ＩＮＴＧ）、実行前設定の処理が起動されると（Ｓ１４）、図１５に示すように、まず、実際の墨字印刷や点字打刻の時点で必要とされる割付配置等の設定や各設定の最終確認等が行われ（Ｓ１４１）、ユーザが再編集等を考えて取消指示（取消キー押下）をしたときには（Ｓ１４２：Ｙｅｓ）、その旨をフラグ等に記憶して、処理を終了する（Ｓ１４５）。この場合、図７に戻って、次に上記フラグ等により取消指示が有ったことを判別し（Ｓ２８：Ｙｅｓ）、文字情報入力状態（Ｓ１２）に戻って再編集等に移行する。
【０１０３】
一方、取消指示がないときには（Ｓ１４２：Ｎｏ）、レイアウト調整を行った後（Ｓ１４３：図１６で後述のＳ９０）、カット長ＣＬの調整が有ったか否か、すなわち調整余白長ＤＬ＞０か否かを判別し（Ｓ１４４）、無い場合には（Ｓ１４４：Ｎｏ）、そのまま処理を終了し（Ｓ１４５）、有った場合には（Ｓ１４４：Ｙｅｓ）、調整後設定再確認が行われた後（Ｓ１４６）、処理を終了する（Ｓ１４５）。なお、この調整後設定再確認（Ｓ１４６）においても、ユーザが再編集等を考えて取消指示をしたときには、その旨をフラグ等に記憶するので、図７に戻って、取消指示が有ったことを判別し（Ｓ２８：Ｙｅｓ）、文字情報入力状態（Ｓ１２）に戻って再編集等に移行する。
【０１０４】
次に、上述のレイアウト調整（Ｓ９０）では、図１６に示すように、まず、定長指定か否かを判別し（Ｓ９１）、定長指定のときには（Ｓ９１：Ｙｅｓ）、定長時レイアウト調整に移行し（Ｓ８０：詳細は後述）、定長指定で無いときには（Ｓ９１：Ｎｏ）、次に、カット長調整を行う（Ｓ３０）。
【０１０５】
このカット長調整（Ｓ３０）では、図１７に示すように、まず、実印刷長ＰｔＬが実印刷長ＢｔＬ以下か否かを判別する（Ｓ３１：図１６で後述の墨字≦点字の判別（Ｓ５１等）と同じ論理）。ここで、ＰｔＬ≦ＢｔＬのときには（Ｓ３１：Ｙｅｓ）、長い方の点字側を基準にハーフカット長を加えて仮想カット長ＶＬを求め（Ｓ３２）、ＰｔＬ＞ＢｔＬのときには（Ｓ３１：Ｎｏ）、長い方の墨字側を基準に仮想カット長ＶＬを求め（Ｓ３３）、次に、下点字（すなわち「点字下段」）か否かを判別する（Ｓ３４）。
【０１０６】
なお、前述のレイアウト設定（Ｓ２９）において、ラベル長ＲＬを決めるために印刷配置部長さＰＬと打刻配置部長さＢＬとの間で長さ調整をするので、その時点でＰＬ＝ＢＬ＝ＲＬとして再設定しておくことにより、図示点線のように、常時ＢＬを基準としても良いし（Ｓ３２のみとしてＳ３１とＳ３３を省略）、常時ＰＬを基準としても良い（Ｓ３３のみとしてＳ３１とＳ３２を省略）。また、ハーフカット長ＨＬの設定も行うので、レイアウト設定（Ｓ２９）の段階で仮想カット長ＶＬを求めておいても良い（Ｓ３１〜Ｓ３３を全て省略）。
【０１０７】
次に、下点字の場合には（Ｓ３４：Ｙｅｓ）、点字後余白長ＭｂＲの方が上流側余白長となるので（図９（ａ）の（ａ−１）参照）、調整対象余白長（上流側余白長）Ｍｃとして、点字後余白長ＭｂＲを設定し（Ｓ３５）、上点字（すなわち「点字上段」）の場合には（Ｓ３４：Ｎｏ）、点字前余白長ＭｂＦの方が上流側余白長となるので（図９（ａ）の（ａ−２）参照）、調整対象余白長（上流側余白長）Ｍｃとして、点字前余白長ＭｂＦを設定し（Ｓ３６）、次に、調整余白長ＤＬを求め（Ｓ３７）、調整余白長ＤＬが必要か否か（すなわちＤＬ＞０か否か）を判別する（Ｓ３８）。
【０１０８】
ここで、調整余白長ＤＬが必要となれば（Ｓ３８：Ｙｅｓ）、カット長ＣＬとして、仮想カット長ＶＬに調整余白長ＤＬを加えた値を設定することによって（図１４で前述の例を参照）、調整対象余白長（上流側余白長）Ｍｃに余裕を持たせて（Ｓ３９：図１４の例ではＭｐＲ＝１．６ｍｍを、１．９５ｍｍ（＝誤差長ｅ＝ＶＬ×０．０５）まで延長して）、送り誤差による点字の打刻損じを防止し、調整余白長ＤＬが必要でなければ（Ｓ３８：Ｎｏ）、カット長ＣＬとして、仮想カット長ＶＬをそのまま設定して（Ｓ４０：図１２で前述の例を参照）、処理を終了する（Ｓ４１）。
【０１０９】
上記のカット長調整（Ｓ３０）が終了すると、図１６に戻って、次に、下点字か否かを判別し（Ｓ５０：図１７のＳ３４と同じ判別）、続いて墨字≦点字か否かを判別し（Ｓ５１またはＳ５２：図７のＳ３１と同じ判別）、割付を判別し（Ｓ５３〜Ｓ５６のいずれか）、それぞれの割付に従って、最終的なレイアウトを設定（決定）して（Ｓ６１〜Ｓ６６およびＳ７１〜Ｓ７６のいずれか）、レイアウト調整の処理を終了する（Ｓ９４）。
【０１１０】
一方、定長指定と判別されたときには（Ｓ９１：Ｙｅｓ）、定長時レイアウト調整（Ｓ８０）を起動し、この処理では、図１８に示すように、まず、定長時点字最大長ＢｔＬｍａｘを求める（Ｓ８１）。
【０１１１】
すなわち、図示は省略するが、下点字か否かにより調整対象余白長Ｍｃ（下点字では点字後余白長ＭｂＲ、上点字では点字前余白長ＭｂＦ）を定め、それとは逆側の非調整余白長Ｍｄ（下点字では点字前余白長ＭｂＦ、上点字では点字後余白長ＭｂＲ）を、仮想のラベル長ＲＬ（＝ＶＬ−ＨＬ）から減算して、ラベル長ＲＬ内の調整対象余白長Ｍｃの下流側端までの長さＲＬ−Ｍｄ＝ＶＬ−ＨＬ−Ｍｄを求め、さらに誤差長ｅ＝ＶＬ×０．０５を減算して、送り誤差があっても点字の打刻損じが発生しない最大実打刻長ＢｔＬｍａｘ＝ＲＬ−ＶＬ×０．０５−Ｍｄ＝ＶＬ−ＨＬ−ＶＬ×０．０５−Ｍｄを求める（Ｓ８１）。
【０１１２】
続いて、点字が最大長より長いか否か（すなわち実打刻長ＢｔＬ＞ＢｔＬｍａｘか否か）を判別し（Ｓ８２）、長くない（すなわち打刻損じがない）ときには（Ｓ８２：Ｎｏ）、仮想カット長ＶＬをそのままカット長ＣＬとして設定して（Ｓ８９）、処理を終了するが（Ｓ８３）、長い（すなわち打刻損じの可能性が有る）ときには（Ｓ８２：Ｙｅｓ）、点字が定長オーバーする旨または点字余白が不足している旨のメッセージを表示する（Ｓ８４）。
【０１１３】
なお、上述では、点字最大長という概念を用いたが、図１６で前述のカット長調整と同様の判断を用いることもできる。この場合、調整余白長ＤＬ＝ＶＬ×０．０５−Ｍｃを求め（Ｓ８１：図１７のＳ３７と同じ処理）、この調整余白長ＤＬが必要か否か（すなわちＤＬ＞０か否か）を判別し（Ｓ８２：図１７のＳ３８と同じ処理）、必要がない（ＤＬ≦０：打刻損じがない）ときには（Ｓ８２：Ｎｏ）、仮想カット長ＶＬをカット長ＣＬとして（Ｓ８９）、処理を終了し（Ｓ８３）、必要とする（ＤＬ＞０：打刻損じの可能性が有る）ときには（Ｓ８２：Ｙｅｓ）、メッセージを表示する（Ｓ８４）。
【０１１４】
メッセージ表示の後には（Ｓ８４）、定長指定を解除するか否かの確認メッセージを表示し、定長解除の指示入力を待つ（Ｓ８５）。
【０１１５】
ここで、特定のキー入力等により定長解除が指示されれば（Ｓ８６：Ｙｅｓ）、カット長調整（図１６、図１７のＳ３０）が可能になるので、カット長調整のためのフラグをオンにして（Ｓ８８）、処理を終了する（Ｓ８３）。この場合、図１６に戻って、カット長調整フラグによりカット長調整であると判別し（Ｓ９２：Ｙｅｓ）、図１６で前述のカット調整（Ｓ３０）以降の処理に移行する。
【０１１６】
一方、図１７の定長解除が指示されなければ（Ｓ８６：Ｎｏ）、定長指定なのでカット長調整はできなくなり、そのままの構成では、点字の打刻損じの可能性が有るため、次に、点字の再編集のためのフラグをオンにするとともに、点字の再編集が必要である旨のメッセージを表示して（Ｓ８７）、処理を終了する（Ｓ８３）。
【０１１７】
この場合、図１６に戻って、カット長調整はないと判別し（Ｓ９２：Ｎｏ）、再編集フラグにより再編集であると判別し（Ｓ９３：Ｙｅｓ）、レイアウト調整（Ｓ９０）の処理も終了して（Ｓ９４）、図１５に戻り、調整余白長ＤＬに応じて調整後設定再確認（Ｓ１４６）を介して、実行前設定（Ｓ１４）の処理も終了して（Ｓ１４５）、図７に戻り、再編集であると判別し（Ｓ２８：Ｙｅｓ）、文字情報入力状態（Ｓ１２）に戻って、再編集等に移行する。
【０１１８】
また、図１８で上述のように、点字が最大長より長くない（ＢｔＬ≦ＢｔＬｍａｘ）または調整余白長ＤＬが必要ない（ＤＬ≦０）、すなわち打刻損じの可能性がないときには（Ｓ８２：Ｎｏ）、仮想カット長ＶＬをカット長ＣＬとして（Ｓ８９）、処理を終了し（Ｓ８３）、図１６に戻って、カット長調整はないと判別し（Ｓ９２：Ｎｏ）、再編集でもないと判別して（Ｓ９３：Ｎｏ）、前述のカット長調整（Ｓ３０）を省略して、次の処理、すなわち下点字か否かの判別処理（Ｓ５０）以降の処理に移行する。
【０１１９】
ここで、上述の定長指定の場合、例えば図１２で前述の例では、図１８で上述の定長時点字最大長ＢｔＬｍａｘ＝ＶＬ−ＨＬ−ＶＬ×０．０５−Ｍｃ＝３０．０−４０．０×０．０５−２．１＝２５．９［ｍｍ］であり（Ｓ８１）、ＢｔＬ＝２５．８ｍｍなので、ＢｔＬ≦ＢｔＬｍａｘとなる（Ｓ８２：Ｎｏ）。なお、もう一方の方法においては、前述のように、調整余白長ＤＬ＝−０．１ｍｍなので（Ｓ８１）、ＤＬ≦０となる（Ｓ８２：Ｎｏ）。
【０１２０】
一方、例えば図１４で前述の例では、定長時点字最大長ＢｔＬｍａｘ＝ＶＬ−ＨＬ−ＶＬ×０．０５−Ｍｃ＝２９．０−３９．０×０．０５−１．６＝２５．４５［ｍｍ］であり（Ｓ８１）、ＢｔＬ＝２５．８ｍｍなので、ＢｔＬ＞ＢｔＬｍａｘとなる（Ｓ８２：Ｙｅｓ）。もう一方の方法においては、前述のように、調整余白長ＤＬ＝０．３５ｍｍなので（Ｓ８１）、ＤＬ＞０となる（Ｓ８２：Ｎｏ）。
【０１２１】
そして、後者の図１４の例の場合、定長指定では、調整余白長ＤＬ＝０．３５を付加するわけには行かないので、定長指定を解除してカット長調整を可能とするか（Ｓ８８）、点字の内容を変更（再編集）して（Ｓ８７）、実打刻長ＢｔＬ≦２５．４５（＝ＢｔＬｍａｘ）とすることになる。
【０１２２】
ところで、上述の例や説明では、主に、図１９に示すようなレイアウトイメージに基づくもの、すなわち、図１６のレイアウト（１−１）のレイアウト処理（Ｓ６１：以下「レイアウト処理（１−１：Ｓ６１）」等と略す）に従ったもの、となっていたので、以下では、各種のレイアウトイメージを想定して、図１６のレイアウト調整（Ｓ９０）について、特にカット長調整（Ｓ３０）について、補足して説明する。
【０１２３】
まず、図１９のイメージは、上述で主に説明したものに相当し、図１６のレイアウト処理（１−１：Ｓ５０→Ｓ５１→Ｓ５３→Ｓ６１）で設定される「（下点字）且つ（定長指定無し）且つ（ＰｔＬ≦ＢｔＬ）且つ（墨字左寄せ）」のレイアウトを示している。
【０１２４】
これに対し、図２０（ａ）のイメージは、図１６のレイアウト処理（１−２：Ｓ５０→Ｓ５１→Ｓ５３→Ｓ６２）で設定される「（下点字）且つ（定長指定無し）且つ（ＰｔＬ≦ＢｔＬ）且つ（墨字中寄せ）」のレイアウトを示している。
【０１２５】
このレイアウトが設定された場合、図１０で前述の墨字画像（墨字データ）Ｇｐ０と図１１で前述の点字画像（点字データ）Ｇｂ０との組合せに基づけば、図１２で示したレイアウト（１−１）の例と同様に、図２０（ｂ）に示すように、カット長調整は不要（ＤＬ≦０）なので、ＤＬ＝０として、そのままカット長ＣＬ＝ＶＬが設定される。
【０１２６】
また、同じ図１０の墨字データＧｐ０と図１３の点字データＧｂ２との組合せでは、図１４で示したレイアウト（１−１）の例と同様に、図２０（ｃ）に示すように、カット長調整が必要（ＤＬ＞０）となるので、ＤＬ＝０．３５ｍｍを利用して、点字後余白長（調整対象余白長：上流側余白長）ＭｂＲ（Ｍｃ）を、１．６ｍｍ→１．９５ｍｍとすべく、カット長ＣＬ＝ＶＬ＋ＤＬ＝３９．０＋０．３５＝３９．３５［ｍｍ］が設定される。
【０１２７】
また、同様に、図２１（ａ）のイメージは、図１６のレイアウト処理（１−３：Ｓ５０→Ｓ５１→Ｓ５３→Ｓ６３）で設定される「（下点字）且つ（定長指定無し）且つ（ＰｔＬ≦ＢｔＬ）且つ（墨字右寄せ）」のレイアウトを示している。
【０１２８】
この場合も、図１０の墨字データＧｐ０と図１１の点字データＧｂ０との組合せに基づけば、図２１（ｂ）に示すように、カット長調整は不要（ＤＬ≦０）なので、ＤＬ＝０として、そのままカット長ＣＬ＝ＶＬが設定される。また、図１３の点字データＧｂ２との組合せでは、図２１（ｃ）に示すように、カット長調整が必要（ＤＬ＞０）となり、ＤＬ＝０．３５ｍｍを利用して、点字後余白長ＭｂＲ（上流側余白長Ｍｃ）を、１．６ｍｍ→１．９５ｍｍとすべく、カット長ＣＬ＝ＶＬ＋ＤＬ＝３９．０＋０．３５＝３９．３５［ｍｍ］が設定される。
【０１２９】
次に、図２２（ａ）のイメージは、図１６のレイアウト処理（１−４：Ｓ５０→Ｓ５１→Ｓ５４→Ｓ６４）で設定される「（下点字）且つ（定長指定無し）且つ（ＰｔＬ＞ＢｔＬ）且つ（点字左寄せ）」のレイアウトを示している。
【０１３０】
ここで、墨字＞点字（ＰｔＬ＞ＢｔＬ）なので（Ｓ５１：Ｎｏ）、図２３（ａ）（ｂ）に示すように、図１０とは異なる墨字画像（墨字データ）Ｇｐ３を例示する。この墨字データＧｐ３では、文字幅Ｐｗ＝８．０であり、実印刷長ＰｔＬ＝２６．０（図１０のＧｐ０のＰｔＬより４．０ｍｍ長い）となっていて、この墨字データＧｐ３と図１１の点字データＧｂ０（または図１３の点字データＧｂ２）との組合せを考えると、ＢｔＬ＝２５．８ｍｍなので、ＰｔＬ＞ＢｔＬとなる。
【０１３１】
この場合、調整対象余白長（上流側余白長）Ｍｃは点字後余白長ＭｂＲであり、また、左端合わせ（左寄せ）により、図２２（ｂ）に示すように、Ｍｃ＝ＭｂＲ＝（ＰｔＬ−ＢｔＬ）＋ＭｐＲ＝（２６．０−２５．８）＋２．０＝２．２［ｍｍ］となり、調整余白長ＤＬ＝−０．２ｍｍより、カット長調整は不要（ＤＬ≦０）なので、ＤＬ＝０として、そのままカット長ＣＬ＝ＶＬが設定される。
【０１３２】
また、図２３（ｃ）に示すように、同図（ａ）（ｂ）の墨字の前後余白Ｍｐ（＝墨字前余白長ＭｐＦ＝墨字後余白長ＭｐＲ）＝２．０ｍｍを、１．０ｍｍに変更した墨字データ（仮にＧｐ３ｓとする）と図１１の点字データＧｂ０（または図１３の点字データＧｂ２）との組合せでは、ＰｔＬもＢｔＬも上述と同じなので、ＰｔＬ＞ＢｔＬではあるが、図２２（ｃ）に示すように、Ｍｃ＝ＭｂＲ＝（ＰｔＬ−ＢｔＬ）＋ＭｐＲ＝（２６．０−２５．８）＋１．０＝１．２［ｍｍ］となり、調整余白長ＤＬ＝０．７ｍｍより、カット長調整が必要（ＤＬ＞０）となり、ＤＬ＝０．７ｍｍを利用して、点字後余白長ＭｂＲ（上流側余白長Ｍｃ）を、１．２ｍｍ→１．９ｍｍ（＝誤差長ｅ）とすべく、カット長ＣＬ＝ＶＬ＋ＤＬ＝３８．０＋０．７＝３８．７［ｍｍ］が設定される。
【０１３３】
次に、図２４（ａ）のイメージは、図１６のレイアウト処理（１−５：Ｓ５０→Ｓ５１→Ｓ５４→Ｓ６５）で設定される「（下点字）且つ（定長指定無し）且つ（ＰｔＬ＞ＢｔＬ）且つ（点字中寄せ）」のレイアウトを示している。
【０１３４】
ここで、同様に、図２３（ａ）（ｂ）の墨字データＧｐ３と図１１の点字データＧｂ０（または図１３の点字データＧｂ２）との組合せを考えると、中央合わせ（中寄せ）により、図２４（ｂ）に示すように、Ｍｃ＝ＭｂＲ＝（ＰｔＬ−ＢｔＬ）／２＋ＭｐＲ＝（２６．０−２５．８）／２＋２．０＝２．１［ｍｍ］となり、調整余白長ＤＬ＝−０．１ｍｍより、カット長調整は不要（ＤＬ≦０）なので、ＤＬ＝０として、そのままカット長ＣＬ＝ＶＬが設定される。
【０１３５】
また、図２３（ｃ）で前述の墨字データ（Ｇｐ３ｓ）との組合せでは、図２４（ｃ）に示すように、Ｍｃ＝ＭｂＲ＝（ＰｔＬ−ＢｔＬ）／２＋ＭｐＲ＝（２６．０−２５．８）／２＋１．０＝１．１［ｍｍ］となり、調整余白長ＤＬ＝０．８ｍｍより、カット長調整が必要（ＤＬ＞０）となり、点字後余白長ＭｂＲ（上流側余白長Ｍｃ）を、１．１ｍｍ→１．９ｍｍ（＝誤差長ｅ）とすべく、カット長ＣＬ＝ＶＬ＋ＤＬ＝３８．０＋０．８＝３８．８［ｍｍ］が設定される。
【０１３６】
次に、図２５（ａ）のイメージは、図１６のレイアウト処理（１−６：Ｓ５０→Ｓ５１→Ｓ５４→Ｓ６６）で設定される「（下点字）且つ（定長指定無し）且つ（ＰｔＬ＞ＢｔＬ）且つ（点字右寄せ）」のレイアウトを示している。
【０１３７】
ここで、同様に、図２３（ａ）（ｂ）の墨字データＧｐ３と図１１の点字データＧｂ０（または図１３の点字データＧｂ２）との組合せを考えると、右端合わせ（右寄せ）により、図２５（ｂ）に示すように、Ｍｃ＝ＭｂＲ＝ＭｐＲ＝２．０［ｍｍ］となり、調整余白長ＤＬ＝０．０ｍｍより、カット長調整は不要（ＤＬ≦０）なので、そのままカット長ＣＬ＝ＶＬが設定される。
【０１３８】
また、図２３（ｃ）の墨字データ（Ｇｐ３ｓ）との組合せでは、図２５（ｃ）に示すように、Ｍｃ＝ＭｂＲ＝ＭｐＲ＝１．０［ｍｍ］となり、調整余白長ＤＬ＝０．９ｍｍより、カット長調整が必要（ＤＬ＞０）となり、点字後余白長ＭｂＲ（上流側余白長Ｍｃ）を、１．０ｍｍ→１．９ｍｍ（＝誤差長ｅ）とすべく、カット長ＣＬ＝ＶＬ＋ＤＬ＝３８．０＋０．９＝３８．９［ｍｍ］が設定される。
【０１３９】
残りは、図１６の上点字（点字上段）に対するレイアウト処理（Ｓ７１〜Ｓ７６）となるが、図９で前述のように、上点字の場合（例えば図９（ａ）（ａ−２）参照）、基本的には、下点字（同（ａ−１）参照）の墨字データと点字データとを、それぞれ１８０度回転させて配置した状態で、点字打刻部１５０の打刻ユニット８０に挿入されるのと同等なので、上流側と下流側との関係が逆になり、点字後余白長ＭｂＲ側が先端側として挿入されて下流側余白長となり、点字前余白長ＭｂＦ側が後端側の上流側余白長（調整対象余白長）Ｍｃとなる。
【０１４０】
すなわち、上点字の場合、調整対象余白長（上流側余白長）Ｍｃ＝ＭｂＦとはなるが、それ以外は、基本的には、下点字で前述のレイアウト処理（Ｓ６１〜Ｓ６６）と同様のレイアウト処理となり、同様のカット長調整が行われる（図１７のＳ３４〜Ｓ３６参照）。このため、以下では、対応する下点字のレイアウト処理を対比させ、説明は適宜省略する。
【０１４１】
まず、図２６（ａ）のイメージは、図１６のレイアウト処理（２−１：Ｓ５０→Ｓ５２→Ｓ５５→Ｓ７１）で設定される「（上点字）且つ（定長指定無し）且つ（ＰｔＬ≦ＢｔＬ）且つ（墨字左寄せ）」のレイアウトを示している。これは、図２１で前述のレイアウト処理（１−３：Ｓ６３）で設定される「（下点字）且つ（定長指定無し）且つ（ＰｔＬ≦ＢｔＬ）且つ（墨字右寄せ）」のレイアウトに対応し、概ね１８０度回転させたレイアウトに相当する。このため、調整対象余白長（上流側余白長）Ｍｃ＝点字前余白長ＭｂＦとするだけで、他は同一の処理（同一の計算式等）となる。
【０１４２】
すなわち、この場合も、図１０の墨字データＧｐ０と図１１の点字データＧｂ０との組合せに基づけば、図２６（ｂ）に示すように、カット長調整は不要（ＤＬ≦０）なので、ＤＬ＝０として、そのままカット長ＣＬ＝ＶＬが設定され、図１３の点字データＧｂ２との組合せでは、図２６（ｃ）に示すように、カット長調整が必要（ＤＬ＞０）となり、ＤＬ＝０．３５ｍｍを利用して、点字前余白長ＭｂＦ（上流側余白長Ｍｃ）を、１．６ｍｍ→１．９５ｍｍとすべく、カット長ＣＬ＝ＶＬ＋ＤＬ＝３９．３５［ｍｍ］が設定される。
【０１４３】
また、図２７（ａ）のイメージは、図１６のレイアウト処理（２−２：Ｓ５０→Ｓ５２→Ｓ５５→Ｓ７２）で設定される「（上点字）且つ（定長指定無し）且つ（ＰｔＬ≦ＢｔＬ）且つ（墨字中寄せ）」のレイアウトを示し、これは、図２０で前述のレイアウト処理（１−２：Ｓ６２）で設定される「（下点字）且つ（定長指定無し）且つ（ＰｔＬ≦ＢｔＬ）且つ（墨字中寄せ）」に対応し、概ね１８０度回転させたものに相当するため、調整対象余白長Ｍｃ＝点字前余白長ＭｂＦとするだけで、他は同一の処理となる。また、ここでは、墨字≦点字（ＰｔＬ≦ＢｔＬ）なので、カット長調整は墨字の実印刷部Ｅｐｔの配置には影響を受けないので、図２６（ｂ）（ｃ）で上述と同一の計算式等となる。
【０１４４】
また、図２８（ａ）のイメージは、図１６のレイアウト処理（２−３：Ｓ５０→Ｓ５２→Ｓ５５→Ｓ７３）で設定される「（上点字）且つ（定長指定無し）且つ（ＰｔＬ≦ＢｔＬ）且つ（墨字右寄せ）」のレイアウトを示し、これは、図１９で前述のレイアウト処理（１−１：Ｓ６１）で設定される「（下点字）且つ（定長指定無し）且つ（ＰｔＬ≦ＢｔＬ）且つ（墨字左寄せ）」に対応し、概ね１８０度回転させたものに相当するため、調整対象余白長Ｍｃ＝点字前余白長ＭｂＦとするだけで、他は同一の処理となる。また、墨字≦点字（ＰｔＬ≦ＢｔＬ）なので、カット長調整は、図２６（ｂ）（ｃ）で上述と同一の計算式等となる。
【０１４５】
次に、図２９（ａ）のイメージは、図１６のレイアウト処理（２−４：Ｓ５０→Ｓ５２→Ｓ５６→Ｓ７４）で設定される「（上点字）且つ（定長指定無し）且つ（ＰｔＬ＞ＢｔＬ）且つ（点字左寄せ）」のレイアウトを示している。これは、図２５で前述のレイアウト処理（１−６：Ｓ６６）で設定される「（下点字）且つ（定長指定無し）且つ（ＰｔＬ＞ＢｔＬ）且つ（点字右寄せ）」のレイアウトに対応し、概ね１８０度回転させたレイアウトに相当する。このため、調整対象余白長（上流側余白長）Ｍｃ＝点字前余白長ＭｂＦとするだけで、他は同一の処理（同一の計算式等）となる。
【０１４６】
すなわち、この場合も、図２３（ａ）（ｂ）の墨字データＧｐ３と図１１の点字データＧｂ０（または図１３の点字データＧｂ２）との組合せを考えると、左端合わせ（左寄せ）により、図２９（ｂ）に示すように、Ｍｃ＝ＭｂＦ＝ＭｐＦ＝２．０［ｍｍ］となり、カット長調整は不要（ＤＬ≦０）なので、そのままカット長ＣＬ＝ＶＬが設定される。また、図２３（ｃ）の墨字データ（Ｇｐ３ｓ）との組合せでは、図２９（ｃ）に示すように、Ｍｃ＝ＭｂＦ＝ＭｐＦ＝１．０［ｍｍ］となり、カット長調整が必要（ＤＬ＝０．９ｍｍ＞０）なので、点字後余白長ＭｂＦ（上流側余白長Ｍｃ）を、１．０ｍｍ→１．９ｍｍ（＝誤差長ｅ）とすべく、カット長ＣＬ＝ＶＬ＋ＤＬ＝３８．０＋０．９＝３８．９［ｍｍ］が設定される。
【０１４７】
また、図３０（ａ）のイメージは、図１６のレイアウト処理（２−５：Ｓ５０→Ｓ５２→Ｓ５６→Ｓ７５）で設定される「（上点字）且つ（定長指定無し）且つ（ＰｔＬ＞ＢｔＬ）且つ（点字中寄せ）」のレイアウトを示している。これは、レイアウト処理（１−５：Ｓ６５）の図２４で前述の「（下点字）且つ（定長指定無し）且つ（ＰｔＬ＞ＢｔＬ）且つ（点字中寄せ）」のレイアウトに対応し、概ね１８０度回転させたレイアウトに相当する。
【０１４８】
このため、墨字データと点字データとの同様の組合せに対して、中央合わせ（中寄せ）により、図３０（ｂ）に示すように、Ｍｃ＝ＭｂＦ＝２．１［ｍｍ］となり、カット長調整は不要（ＤＬ≦０）なので、そのままカット長ＣＬ＝ＶＬが設定される。また、同図（ｃ）に示すように、Ｍｃ＝ＭｂＦ＝１．１［ｍｍ］となり、カット長調整が必要（ＤＬ＝０．８＞０）なので、点字後余白長ＭｂＦ（上流側余白長Ｍｃ）を、１．１ｍｍ→１．９ｍｍ（＝誤差長ｅ）とすべく、カット長ＣＬ＝ＶＬ＋ＤＬ＝３８．０＋０．８＝３８．８［ｍｍ］が設定される。
【０１４９】
また、図３１（ａ）のイメージは、図１６のレイアウト処理（２−６：Ｓ５０→Ｓ５２→Ｓ５６→Ｓ７６）で設定される「（上点字）且つ（定長指定無し）且つ（ＰｔＬ＞ＢｔＬ）且つ（点字右寄せ）」のレイアウトを示している。これは、レイアウト処理（１−４：Ｓ６４）の図２２で前述の「（下点字）且つ（定長指定無し）且つ（ＰｔＬ＞ＢｔＬ）且つ（点字左寄せ）」のレイアウトに対応し、概ね１８０度回転させたレイアウトに相当する。
【０１５０】
このため、同様の組合せに対して、左端合わせ（左寄せ）により、図３１（ｂ）に示すように、Ｍｃ＝ＭｂＦ＝２．２［ｍｍ］となり、カット長調整は不要（ＤＬ≦０）なので、そのままカット長ＣＬ＝ＶＬが設定される。また、同図（ｃ）に示すように、Ｍｃ＝ＭｂＦ＝１．２［ｍｍ］となり、カット長調整が必要（ＤＬ＝０．７＞０）なので、点字後余白長ＭｂＦ（上流側余白長Ｍｃ）を、１．２ｍｍ→１．９ｍｍ（＝誤差長ｅ）とすべく、カット長ＣＬ＝ＶＬ＋ＤＬ＝３８．０＋０．７＝３８．７［ｍｍ］が設定される。
【０１５１】
そして、定長指定の場合、調整余白長ＤＬが必要なとき（ＤＬ＞０：打刻損じの可能性があるとき）には、定長指定のままではカット長調整ができないので、定長指定を解除して、任意長として、カット長調整（図１６のＳ９１→Ｓ８０→Ｓ９２→Ｓ３０→Ｓ５０以降）を行うか、再編集を行う（Ｓ９１→Ｓ８０→Ｓ９２→Ｓ９３→Ｓ９４→図１５のＳ１４４→Ｓ１４６→Ｓ１４５→図７のＳ２８→Ｓ１２）ことになるが、前者の場合については各レイアウトについて上述し、後者の場合については、再編集後にどのタイプのレイアウトとなるか不明なので、ここでは説明は省略する。
【０１５２】
定長指定について残るケースは、調整余白長ＤＬが不要のとき（ＤＬ≦０）となるが、この場合、ＤＬ＝０とし、ＣＬ＝ＶＬのまま、カット長調整を省略して、下点字か否かの判別（Ｓ９１→Ｓ８０→Ｓ９２→Ｓ９３→Ｓ５０）以降の処理を行い、調整余白長ＤＬ分の付加がないだけで、基本的には、上述のレイアウト処理（Ｓ６１〜Ｓ６６およびＳ７１〜Ｓ７６のいずれか）を行う。
【０１５３】
ここで、カット長調整無しのレイアウト処理（１−１）〜（１−６）相当をレイアウト処理（３−１）〜（３−６）とし、レイアウト処理（２−１）〜（２−６）相当をレイアウト処理（４−１）〜（４−６）とすると、図３２は、その例を示すものであり、同図（ａ）は、レイアウト処理（３−１：Ｓ５０→Ｓ５１→Ｓ５３→Ｓ６１）で設定される「（上点字）且つ（定長指定有り）且つ（ＰｔＬ≦ＢｔＬ）且つ（墨字左寄せ）」のレイアウトとなり、図１９（ａ）の調整余白長ＤＬ＝０としたものと同等になる。同様に、同図（ｂ）は、レイアウト処理（４−１：Ｓ５０→Ｓ５２→Ｓ５５→Ｓ７１）で設定される「（上点字）且つ（定長指定有り）且つ（ＰｔＬ≦ＢｔＬ）且つ（墨字左寄せ）」のレイアウトとなり、図２６（ａ）の調整余白長ＤＬ＝０としたものと同等になる。
【０１５４】
したがって、図１６で上述のレイアウト調整（Ｓ９０）の処理は、定長指定で調整余白長ＤＬが不要の場合であれば（ＤＬ≦０）、そのまま適用でき、また、調整余白長ＤＬが必要なとき（ＤＬ＞０：打刻損じの可能性があるとき）には、定長指定の解除が許されることを条件として、改めて任意長のものとして、レイアウト調整に利用できる。
【０１５５】
なお、上述の各例は、「左寄せ」「中寄せ」「右寄せ」の例であったが、図９等に示すように、墨字の実印刷長ＰｔＬを点字側の実打刻長ＢｔＬに合わせて均等に配置する「均等」（均等配置）を行うこともでき、この場合、ＰｔＬ＝ＢｔＬ（ＰｔＬ≦ＢｔＬの一種）となるので、例えば下点字（点字下段）の場合には、レイアウト処理（１−１：Ｓ６１）〜（１−３：Ｓ６３）のいずれかを適用すれば良く、上点字（点字上段）の場合には、レイアウト処理（２−１：Ｓ７１）〜（２−３：Ｓ７３）のいずれかを適用すれば良い。
【０１５６】
また、上述の各例は、全て墨字印刷を伴う点字打刻、すなわち第１処理モード（墨点併記）の例であるが、ＰｔＬ＝０（ＰｔＬ≦ＢｔＬの一種）とすることで、空印刷となるので、第３処理モード（点字のみ）にも適用でき（図８（ｃ）の空印刷利用を参照）、この場合、同様に、下点字では、レイアウト処理（１−１：Ｓ６１）〜（１−３：Ｓ６３）のいずれかを適用すれば良く、上点字では、レイアウト処理（２−１：Ｓ７１）〜（２−３：Ｓ７３）のいずれかを適用すれば良い。
【０１５７】
上述のように、本実施形態のラベル作成装置１では、点字打刻のためのテープＴを墨字印刷部（第１送り機構）１２０を用いてテープカットにより用意し、点字打刻部（第２送り機構）１５０を用いて点字打刻を行うので、テープ送りに関する誤差（送り誤差）が生じる可能性があるが、予め定められた比率（実施形態では５％）の誤差長ｅ＝ＶＬ×０．０５が定めてあり、点字打刻部１５０のテープ送りの際の点字の上流側となる上流側余白長Ｍｃ（調整対象余白長：点字下段では点字後余白長ＭｂＲ、点字上段では点字前余白長ＭｂＦ）が、誤差長ｅ未満のときには、誤差長ｅまで延長するように調整して、カット長ＣＬを決定する。
【０１５８】
このため、誤差長ｅの比率等（５％等）を適切に定めておくことにより、必要最小限の上流側余白長Ｍｃを確保できる。これにより、点字打刻の打刻位置が送り誤差（５％等）の範囲で後方にずれたとしても、上流側余白長Ｍｃの範囲内に収まるので、点字の打刻損じを防止できる。また、誤差長ｅまでの延長なので、テープＴの無駄を必要最小限にできる。なお、上流側余白長Ｍｃが誤差長ｅ以上であれば、その上流側余白長Ｍｃの範囲で点字打刻が終了するので、カット長調整を要しない。
【０１５９】
また、上述の実施形態では、点字の実打刻長ＢｔＬを決定し、テープＴの仮カット長ＶＬを決定し、仮カット長ＶＬの範囲に、実打刻長ＢｔＬを割り付けて、それにより、点字前余白長ＭｂＦおよび点字後余白長ＭｂＲを決定し、テープＴのカット長ＣＬを決定するが、そのカット長ＣＬを決定するに際して、点字前余白長ＭｂＦと点字後余白長ＭｂＲのうちの点字打刻部（第２送り機構）１５０において上流側となる上流側余白長Ｍｃが、仮カット長ＶＬから予定の比率（５％）で求めた誤差長ｅ未満のときに、それらの差分（調整余白長）ＤＬを仮カット長ＶＬに加算してカット長ＣＬとするので、結果として、上流側余白長Ｍｃを誤差長ｅまで延長できる。
【０１６０】
また、第１処理モード（墨点併記）の場合、墨字の実印刷長ＰｔＬと点字の実打刻長ＢｔＬに基づいて、双方が割付可能なように、仮カット長ＶＬを決定するので、その後のカット長調整における上流側余白長Ｍｃは、点字のみの場合の上流側余白長Ｍｃ以上となって、長くなる方向となり、点字打刻に支障を生じること無く、墨字印刷ができる。
【０１６１】
また、第１処理モード（墨点併記）のときにも、第３処理モード（点字のみ）のときにも、ハーフカット代（捨て代）Ｅｈを設けることができ、また、上述の各例におけるハーフカット代Ｅｈは、全て、点字打刻部１５０のテープ送り下流側に設けたが、レイアウト設定において指定することで、上流側に設けることもでき、いずれの場合も、カット長ＣＬは、ハーフカット代Ｅｈの長さ（ハーフカット長）ＨＬを含めて決定されるので、点字の打刻損じを防止しつつ、点字打刻後には、点字打刻された部分を剥がす際に、ハーフカット代（捨て代）Ｅｈを把持できるので、剥がしやすくなる。
【０１６２】
なお、上述の実施形態では、レイアウト設定（図７のＳ２９）においては、各種設定（指定→レイアウト上の計算→設定まで：特に各種長さの設定）のみを行い、カット長調整（図１６のＳ３０）でカット長ＣＬの調整（計算→再設定：特に上流側余白長Ｍｃ調整のための仮カット長ＶＬに基づくカット長ＣＬの計算）を行って、実際のレイアウト処理（すなわち墨字画像の画像展開〜画像データ（墨字データ）上への配置と、各打刻点の位置計算〜画像データ（点字データ）上への配置）は、カット長調整後のレイアウト処理（１−１：Ｓ６１）〜（２−６：Ｓ７６）で行ったが、この各データ上への配置処理（図１６の一点鎖線で囲まれる処理（Ｓ５０〜Ｓ７６）：以下「レイアウト配置（Ｓ１００）」）の各レイアウト処理（１−１：Ｓ６１）に分岐してから、その処理の中で、各レイアウトに対するカット長調整（カット長ＣＬの決定）を行っても良い。
【０１６３】
また、図３３に示すように、図７のレイアウト設定（Ｓ２９）の代わりに、レイアウト配置を伴うレイアウト設定・配置（Ｓ２９ｓ）の処理を起動し、レイアウト設定（Ｓ２９１：Ｓ２９と同処理）ばかりでなく、レイアウト配置（Ｓ２９２：Ｓ１００と同処理）を行っても良い。また、この場合、図１６のレイアウト調整（Ｓ９０）では、前述のように、レイアウト配置（Ｓ１００：この場合、再配置となる）を行っても良いし、その代わりに、図３４に示すレイアウト調整（Ｓ９０ｓ）のように、調整対象の余白（上流側余白）側に調整余白（領域）Ｅｄを付加（配置）して、上流側余白長Ｍｃを調整余白長ＤＬ分だけ延長する処理（Ｓ１１１またはＳ１１２）のみを、レイアウト再配置（Ｓ１１０）として行うようにしても良い。
【０１６４】
また、上述した実施形態において採用されたテープ処理装置としての機能あるいは各種処理方法（テープ処理方法など）は、上述のラベル作成装置１ばかりでなく、プログラム処理可能な各種の装置によって処理されるプログラムとして適用でき、その種のプログラムを記憶するための記憶媒体にも適用でき、この種のプログラムを記憶しておいて、あるいは記憶媒体等から読み出して、実行することにより、別の送り機構により点字打刻されるテープを、テープカットにより用意するに際して、カット長調整により送り誤差による点字打刻損じを防止しつつ、テープの無駄を必要最小限にできる。
【０１６５】
また、上記の記憶媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。もちろん、その他、要旨を逸脱しない範囲で、適宜変更も可能である。
【図面の簡単な説明】
【０１６６】
【図１】実施形態に係るラベル作成装置の外観斜視図。
【図２】図１のラベル作成装置の開蓋状態の外観斜視図。
【図３】図１のラベル作成装置の制御系の概略ブロック図。
【図４】６点点字の説明図および打刻凸部の断面図。
【図５】打刻ユニットの平面図および断面図。
【図６】点字打刻部におけるテープの搬送を説明する説明図。
【図７】ラベル作成装置の全体処理のフローチャート。
【図８】図７の処理モードに関する補足説明図。
【図９】図７のテープ幅の相違に関する補足説明図。
【図１０】墨字データおよびその各部長さの例を示す説明図。
【図１１】点字データおよびその各部長さの例を示す説明図。
【図１２】図１０の墨字データおよび図１１の点字データによる墨点併記のラベルおよびその各部長さの例を示す説明図。
【図１３】別の例を示す、図１１と同様の説明図。
【図１４】図１０の墨字データおよび図１３の点字データによる別の例を示す、図１２と同様の説明図。
【図１５】実行前設定のフローチャート。
【図１６】レイアウト調整のフローチャート。
【図１７】カット長調整のフローチャート。
【図１８】定長時レイアウト調整のフローチャート。
【図１９】レイアウト処理イメージの例を示す説明図。
【図２０】別の例を示す、図１９と同様の説明図。
【図２１】さらに別の例を示す、図１９と同様の説明図。
【図２２】さらに別の例を示す、図１９と同様の説明図。
【図２３】別の例を示す、図１０と同様の説明図。
【図２４】さらに別の例を示す、図１９と同様の説明図。
【図２５】さらに別の例を示す、図１９と同様の説明図。
【図２６】さらに別の例を示す、図１９と同様の説明図。
【図２７】さらに別の例を示す、図１９と同様の説明図。
【図２８】さらに別の例を示す、図１９と同様の説明図。
【図２９】さらに別の例を示す、図１９と同様の説明図。
【図３０】さらに別の例を示す、図１９と同様の説明図。
【図３１】さらに別の例を示す、図１９と同様の説明図。
【図３２】さらに別の例を示す、図１９と同様の説明図。
【図３３】レイアウト設定の変形例を示すレイアウト設定・配置のフローチャート。
【図３４】さらに変形例を示すレイアウト調整のフローチャート。
【符号の説明】
【０１６７】
１…ラベル作成装置（文字情報処理装置）  ２…装置ケース  ３…キーボード  ４…ディスプレイ  ７…印刷ヘッド  １１０…操作部  １２０…墨字印刷部  １４０…切断部  １４２…フルカッタ  １４４…ハーフカッタ  １５０…点字打刻部  １７０…検出部  １８０…駆動部  ２００…制御部  Ｂ…点字  ＢＬ…打刻配置部長さ  ＢｓＰ…点字打刻開始位置  ＢｔＬ…実打刻長  Ｃ…テープカートリッジ  ＣＬ…カット長  ＤＬ…調整余白長  Ｅｂ…点字打刻領域（打刻配置部）  Ｅｃ…共通処理領域（共通配置部）  Ｅｈ…ハーフカット領域（ハーフカット代）  Ｅｐ…墨字印刷領域（印刷配置部）  ｆｃ…フルカット（フルカットライン）  Ｇｘｘ…画像  ｈｃ…ハーフカット（ハーフカットライン）  ＨＬ…ハーフカット長  Ｌｘｘ…ラベル  ＭｂＦ…点字前余白長  ＭｂＲ…点字後余白長  Ｍｃ…調整対象余白長（上流側余白長）  ＭｐＦ…墨字前余白長  ＭｐＲ…墨字後余白長  Ｐ…墨字  ＰＬ…印刷配置部長さ  ＰｔＬ…実印刷長  ＲＬ…ラベル長  Ｔ、Ｔ１、Ｔ２、Ｔ３……テープ  ＶＬ…仮想カット長（仮カット長）
【図１】
2006069759.tif 000003
【図２】
2006069759.tif 000004
【図３】
2006069759.tif 000005
【図４】
2006069759.tif 000006
【図５】
2006069759.tif 000007
【図６】
2006069759.tif 000008
【図７】
2006069759.tif 000009
【図８】
2006069759.tif 000010
【図９】
2006069759.tif 000011
【図１０】
2006069759.tif 000012
【図１１】
2006069759.tif 000013
【図１２】
2006069759.tif 000014
【図１３】
2006069759.tif 000015
【図１４】
2006069759.tif 000016
【図１５】
2006069759.tif 000017
【図１６】
2006069759.tif 000018
【図１７】
2006069759.tif 000019
【図１８】
2006069759.tif 000020
【図１９】
2006069759.tif 000021
【図２０】
2006069759.tif 000022
【図２１】
2006069759.tif 000023
【図２２】
2006069759.tif 000024
【図２３】
2006069759.tif 000025
【図２４】
2006069759.tif 000026
【図２５】
2006069759.tif 000027
【図２６】
2006069759.tif 000028
【図２７】
2006069759.tif 000029
【図２８】
2006069759.tif 000030
【図２９】
2006069759.tif 000031
【図３０】
2006069759.tif 000032
【図３１】
2006069759.tif 000033
【図３２】
2006069759.tif 000034
【図３３】
2006069759.tif 000035
【図３４】
2006069759.tif 000036